(57)【要約】  本発明の実施形態は、通信技術の分野に関連する、レイテンシを低減しユーザエクスペリエンスを改善するための、情報を送信および受信する方法、装置およびシステムを開示する。方法は、ユーザ機器がダウンリンク情報を受信する段階と、ユーザ機器がダウンリンク情報に従って第１サブフレームのサブフレーム構造を決定する段階と、ユーザ機器が第１サブフレームのサブフレーム構造に従ってサービングセルのフレーム構造を決定する段階と、ユーザ機器がサービングセルの決定されたフレーム構造に従って、サービングセルにおいて情報を送信および受信する段階とを備える。本発明の実施形態において提供されている方法は、基地局とユーザ機器との間で情報を伝送するために使用され得る。
2019504554.tif 000002
【特許請求の範囲】
【請求項１】
ユーザ機器がダウンリンク情報を受信する段階と、
前記ユーザ機器が前記ダウンリンク情報に従って第１サブフレームのサブフレーム構造を決定する段階と、
前記ユーザ機器が前記第１サブフレームの前記サブフレーム構造に従ってサービングセルのフレーム構造を決定する段階と、
前記ユーザ機器が前記サービングセルの決定された前記フレーム構造に従って前記サービングセルにおいて情報を送信および受信する段階と
を備える、情報を送信および受信するための方法。
【請求項２】
前記ダウンリンク情報が異なる値に対応するとき、前記第１サブフレームの前記サブフレーム構造は異なる、請求項１に記載の方法。
【請求項３】
前記ダウンリンク情報が第１の値に対応するとき、前記第１サブフレームはデフォルトのサブフレームであり、前記第１サブフレームの前記サブフレーム構造は、前記デフォルトのサブフレームのサブフレーム構造であり、前記デフォルトのサブフレームはダウンリンクサブフレームもしくはアップリンクサブフレームである、または、
前記ダウンリンク情報が第２の値に対応するとき、前記第１サブフレームの前記サブフレーム構造は、３つの部分を含み、第１部分はダウンリンク伝送に使用されるシンボルであり、第２部分はガード期間ＧＰであり、第３部分はアップリンク伝送に使用されるシンボルである、
請求項２に記載の方法。
【請求項４】
前記第３部分に対応するシンボル数は５または６である、請求項３に記載の方法。
【請求項５】
前記ダウンリンク情報が第３の値に対応するとき、前記第１サブフレームはデフォルトのサブフレームであり、前記第１サブフレームの前記サブフレーム構造は前記デフォルトのサブフレームのサブフレーム構造であり、前記デフォルトのサブフレームはダウンリンクサブフレームまたはアップリンクサブフレームである、
前記ダウンリンク情報が第４の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第１シンボル数である、
前記ダウンリンク情報が第５の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第２シンボル数である、または、
前記ダウンリンク情報が第６の値に対応するとき、前記第１サブフレームの前記サブフレーム構造は３つの部分を含み、第１部分はダウンリンク伝送に使用されるシンボルであり、第２部分はガード期間ＧＰであり、第３部分はアップリンク伝送に使用されるシンボルであり、前記第３部分に対応するシンボル数は第３シンボル数である、
請求項２に記載の方法。
【請求項６】
前記第１シンボル数は３であり、前記第２シンボル数は６であり、前記第３シンボル数は９である、請求項５に記載の方法。
【請求項７】
前記ダウンリンク情報が異なる値に対応するとき、前記第１サブフレームの前記サブフレーム構造が異なることは、
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
前記ダウンリンク情報が異なる値に対応するとき、前記第３部分に対応するシンボル数は異なる、
請求項２に記載の方法。
【請求項８】
前記ダウンリンク情報が第７の値に対応するとき、前記第３部分に対応するシンボル数は第４シンボル数である、
前記ダウンリンク情報が第８の値に対応するとき、前記第３部分に対応するシンボル数は第５シンボル数である、
前記ダウンリンク情報が第９の値に対応するとき、前記第３部分に対応するシンボル数は第６シンボル数である、または、
前記ダウンリンク情報が第１０の値に対応するとき、前記第３部分に対応するシンボル数は第７シンボル数である、
請求項７に記載の方法。
【請求項９】
前記第４シンボル数は１であり、前記第５シンボル数は２であり、前記第６シンボル数は４であり、前記第７シンボル数は６である、請求項８に記載の方法。
【請求項１０】
前記第４シンボル数、前記第５シンボル数、前記第６シンボル数および前記第７シンボル数は、より高い層のシグナリングを使用することによって構成される、請求項８に記載の方法。
【請求項１１】
前記ダウンリンク情報は、ダウンリンク制御情報フォーマットで搬送され、前記ダウンリンク情報は２ビットに対応し、前記第１の値は００であり、前記第２の値は０１である、請求項３または４に記載の方法。
【請求項１２】
前記ダウンリンク情報は、ダウンリンク制御情報フォーマットで搬送され、前記ダウンリンク情報は、２ビットに対応し、前記第３の値は００であり、前記第４の値は０１であり、前記第５の値は１０であり、前記第６の値は１１である、請求項５または６に記載の方法。
【請求項１３】
前記ダウンリンク情報は、ダウンリンク制御情報フォーマットで搬送され、前記ダウンリンク情報は、２ビットに対応し、前記第７の値は００であり、前記第８の値は０１であり、前記第９の値は１０であり、前記第１０の値は１１である、請求項７から１０のいずれか一項に記載の方法。
【請求項１４】
前記ダウンリンク情報は、ダウンリンク制御情報フォーマットで搬送され、前記ダウンリンク制御情報フォーマットに対応するビットの数は、ダウンリンク制御情報フォーマット１Ｃに対応するビットの数と同一であり、前記ダウンリンク制御情報フォーマットは、Ｉ個のダウンリンク情報を含み、前記Ｉ個のダウンリンク情報の各々はＮビットに対応し、
【数１】
2019504554.tif 000027
であり、
【数２】
2019504554.tif 000028
は、前記ダウンリンク制御情報フォーマット１Ｃが１つの物理ダウンリンク共有チャネルコードワードをスケジューリングするために使用されるときに前記ダウンリンク制御情報フォーマット１Ｃに対応するビットの数に等しく、前記Ｉ個のダウンリンク情報は、異なるサービングセルに対応し、Ｉ≧１、Ｎ≧１であり、ＩおよびＮは両方とも整数である、
請求項１から１３のいずれか一項に記載の方法。
【請求項１５】
前記ダウンリンク情報は、ダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルを伝送するためのサブフレームである、請求項１から１３のいずれか一項に記載の方法。
【請求項１６】
前記ダウンリンク情報はダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルに対応するハイブリッド自動再送要求−肯定応答情報を伝送するためのサブフレームである、請求項１から１３のいずれか一項に記載の方法。
【請求項１７】
前記ダウンリンク情報は、無線フレーム１において搬送され、前記第１サブフレームは無線フレーム２に属し、前記無線フレーム１は、１つの無線フレームだけを含み、前記無線フレーム２は、Ｍ個の連続する無線フレームを含み、Ｍ≧１であり、Ｍは整数である、請求項１から１４のいずれか一項に記載の方法。
【請求項１８】
前記無線フレーム２における１番目の無線フレームは、前記無線フレーム１の後の１番目の無線フレームである、請求項１７に記載の方法。
【請求項１９】
前記ダウンリンク情報は、前記無線フレーム１におけるＲ個のサブフレームにおいて搬送され、前記Ｒ個のサブフレームは、前記無線フレーム１におけるサブフレーム０を含み、Ｒ≧１であり、Ｒは整数である、請求項１７に記載の方法。
【請求項２０】
前記第１サブフレームは、前記無線フレーム２における各無線フレームにおけるサブフレーム３、サブフレーム４、サブフレーム８またはサブフレーム９のうちの１つまたは複数である、請求項１７に記載の方法。
【請求項２１】
基地局が第１サブフレームのサブフレーム構造を決定する段階と、
前記基地局がダウンリンク情報をユーザ機器へ送信する段階であって、前記ダウンリンク情報は、前記ダウンリンク情報に従って前記第１サブフレームの前記サブフレーム構造を決定するように前記ユーザ機器に命令するために使用される、段階と、
前記基地局が前記第１サブフレームの前記サブフレーム構造に従って前記ユーザ機器のサービングセルのフレーム構造を決定する段階と、
前記基地局が前記サービングセルの決定された前記フレーム構造に従って、前記サービングセルにおいて前記ユーザ機器へ情報を送信し、前記サービングセルの決定された前記フレーム構造に従って、前記ユーザ機器によって送信された情報を前記サービングセルにおいて受信する段階と
を備える、情報を送信および受信するための方法。
【請求項２２】
前記ダウンリンク情報が異なる値に対応するとき、前記第１サブフレームの前記サブフレーム構造は異なる、請求項２１に記載の方法。
【請求項２３】
前記ダウンリンク情報が第１の値に対応するとき、前記第１サブフレームはデフォルトのサブフレームであり、前記第１サブフレームの前記サブフレーム構造は前記デフォルトのサブフレームのサブフレーム構造であり、前記デフォルトのサブフレームはダウンリンクサブフレームもしくはアップリンクサブフレームである、または、
前記ダウンリンク情報が第２の値に対応するとき、前記第１サブフレームの前記サブフレーム構造は、３つの部分を含み、第１部分はダウンリンク伝送に使用されるシンボルであり、第２部分はガード期間ＧＰであり、第３部分はアップリンク伝送に使用されるシンボルである、
請求項２２に記載の方法。
【請求項２４】
前記第３部分に対応するシンボル数は５または６である、請求項２３に記載の方法。
【請求項２５】
前記ダウンリンク情報が第３の値に対応するとき、前記第１サブフレームはデフォルトのサブフレームであり、前記第１サブフレームの前記サブフレーム構造は前記デフォルトのサブフレームのサブフレーム構造であり、前記デフォルトのサブフレームはダウンリンクサブフレームまたはアップリンクサブフレームである、
前記ダウンリンク情報が第４の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第１シンボル数である、
前記ダウンリンク情報が第５の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第２シンボル数である、または、
前記ダウンリンク情報が第６の値に対応するとき、前記第１サブフレームの前記サブフレーム構造は３つの部分を含み、第１部分はダウンリンク伝送に使用されるシンボルであり、第２部分はガード期間ＧＰであり、第３部分はアップリンク伝送に使用されるシンボルであり、前記第３部分に対応するシンボル数は第３シンボル数である、
請求項２２に記載の方法。
【請求項２６】
前記第１シンボル数は３であり、前記第２シンボル数は６であり、前記第３シンボル数は９である、請求項２５に記載の方法。
【請求項２７】
前記ダウンリンク情報が異なる値に対応するとき、前記第１サブフレームの前記サブフレーム構造が異なることは、
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
前記ダウンリンク情報が異なる値に対応するとき、前記第３部分に対応するシンボル数は異なる、
請求項２２に記載の方法。
【請求項２８】
前記ダウンリンク情報が第７の値に対応するとき、前記第３部分に対応するシンボル数は第４シンボル数である、
前記ダウンリンク情報が第８の値に対応するとき、前記第３部分に対応するシンボル数は第５シンボル数である、
前記ダウンリンク情報が第９の値に対応するとき、前記第３部分に対応するシンボル数は第６シンボル数である、または、
前記ダウンリンク情報が第１０の値に対応するとき、前記第３部分に対応するシンボル数は第７シンボル数である、
請求項２７に記載の方法。
【請求項２９】
前記第４シンボル数は１であり、前記第５シンボル数は２であり、前記第６シンボル数は４であり、前記第７シンボル数は６である、請求項２８に記載の方法。
【請求項３０】
前記第４シンボル数、前記第５シンボル数、前記第６シンボル数および前記第７シンボル数は、より高い層のシグナリングを使用することによって構成される、請求項２８に記載の方法。
【請求項３１】
前記ダウンリンク情報はダウンリンク制御情報フォーマットで搬送され、前記ダウンリンク情報は２ビットに対応し、前記第１の値は００であり、前記第２の値は０１である、請求項２３または２４に記載の方法。
【請求項３２】
前記ダウンリンク情報は、ダウンリンク制御情報フォーマットで搬送され、前記ダウンリンク情報は、２ビットに対応し、前記第３の値は００であり、前記第４の値は０１であり、前記第５の値は１０であり、前記第６の値は１１である、請求項２５または２６に記載の方法。
【請求項３３】
前記ダウンリンク情報はダウンリンク制御情報フォーマットで搬送され、前記ダウンリンク情報は、２ビットに対応し、前記第７の値は００であり、前記第８の値は０１であり、前記第９の値は１０であり、前記第１０の値は１１である、請求項２７から３０のいずれか一項に記載の方法。
【請求項３４】
前記ダウンリンク情報は、ダウンリンク制御情報フォーマットで搬送され、前記ダウンリンク制御情報フォーマットに対応するビットの数は、ダウンリンク制御情報フォーマット１Ｃに対応するビットの数と同一であり、前記ダウンリンク制御情報フォーマットは、Ｉ個のダウンリンク情報を含み、前記Ｉ個のダウンリンク情報の各々はＮビットに対応し、
【数１】
2019504554.tif 000029
であり、
【数２】
2019504554.tif 000030
は、前記ダウンリンク制御情報フォーマット１Ｃが１つの物理ダウンリンク共有チャネルコードワードをスケジューリングするために使用されるときに前記ダウンリンク制御情報フォーマット１Ｃに対応するビットの数に等しく、前記Ｉ個のダウンリンク情報は、異なるサービングセルに対応し、Ｉ≧１、Ｎ≧１であり、ＩおよびＮは両方とも整数である、
請求項２１から３３のいずれか一項に記載の方法。
【請求項３５】
前記ダウンリンク情報は、ダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルを伝送するためのサブフレームである、請求項２１から３３のいずれか一項に記載の方法。
【請求項３６】
前記ダウンリンク情報はダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルに対応するハイブリッド自動再送要求−肯定応答情報を伝送するためのサブフレームである、請求項２１から３３のいずれか一項に記載の方法。
【請求項３７】
前記ダウンリンク情報は、無線フレーム１において搬送され、前記第１サブフレームは無線フレーム２に属し、前記無線フレーム１は、１つの無線フレームだけを含み、前記無線フレーム２は、Ｍ個の連続する無線フレームを含み、Ｍ≧１であり、Ｍは整数である、請求項２１から３４のいずれか一項に記載の方法。
【請求項３８】
前記無線フレーム２における１番目の無線フレームは、前記無線フレーム１の後の１番目の無線フレームである、請求項３７に記載の方法。
【請求項３９】
前記ダウンリンク情報は、前記無線フレーム１におけるＲ個のサブフレームにおいて搬送され、前記Ｒ個のサブフレームは、前記無線フレーム１におけるサブフレーム０を含み、Ｒ≧１であり、Ｒは整数である、請求項３７に記載の方法。
【請求項４０】
前記第１サブフレームは、前記無線フレーム２における各無線フレームにおけるサブフレーム３、サブフレーム４、サブフレーム８またはサブフレーム９のうちの１つまたは複数である、請求項３７に記載の方法。
【請求項４１】
送受信器、メモリおよびプロセッサを備えるユーザ機器であって、
前記送受信器はダウンリンク情報を受信するように構成され、
前記メモリはコードを記憶するように構成され、前記プロセッサは、前記メモリに記憶された前記コードに従って、
前記ダウンリンク情報に従って第１サブフレームのサブフレーム構造を決定する動作と、
前記第１サブフレームの前記サブフレーム構造に従ってサービングセルのフレーム構造を決定する動作と
を実行し、
前記送受信器はさらに、前記サービングセルの決定された前記フレーム構造に従って、前記サービングセルにおいて情報を送信および受信するように構成されている、
ユーザ機器。
【請求項４２】
前記ダウンリンク情報が異なる値に対応するとき、前記第１サブフレームの前記サブフレーム構造は異なる、請求項４１に記載のユーザ機器。
【請求項４３】
前記ダウンリンク情報が第１の値に対応するとき、前記第１サブフレームはデフォルトのサブフレームであり、前記第１サブフレームの前記サブフレーム構造は、前記デフォルトのサブフレームのサブフレーム構造であり、前記デフォルトのサブフレームは、ダウンリンクサブフレームもしくはアップリンクサブフレームである、または、
前記ダウンリンク情報が第２の値に対応するとき、前記第１サブフレームの前記サブフレーム構造は、３つの部分を含み、第１部分はダウンリンク伝送に使用されるシンボルであり、第２部分はガード期間ＧＰであり、第３部分はアップリンク伝送に使用されるシンボルである、請求項４２に記載のユーザ機器。
【請求項４４】
前記第３部分に対応するシンボル数は、５または６である、請求項４３に記載のユーザ機器。
【請求項４５】
前記ダウンリンク情報が第３の値に対応するとき、前記第１サブフレームはデフォルトのサブフレームであり、前記第１サブフレームの前記サブフレーム構造は前記デフォルトのサブフレームのサブフレーム構造であり、前記デフォルトのサブフレームはダウンリンクサブフレームまたはアップリンクサブフレームである、
前記ダウンリンク情報が第４の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第１シンボル数である、
前記ダウンリンク情報が第５の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第２シンボル数である、または、
前記ダウンリンク情報が第６の値に対応するとき、前記第１サブフレームの前記サブフレーム構造は３つの部分を含み、第１部分はダウンリンク伝送に使用されるシンボルであり、第２部分はガード期間ＧＰであり、第３部分はアップリンク伝送に使用されるシンボルであり、前記第３部分に対応するシンボル数は第３シンボル数である、
請求項４２に記載のユーザ機器。
【請求項４６】
前記第１シンボル数は３であり、前記第２シンボル数は６であり、前記第３シンボル数は９である、請求項４５に記載のユーザ機器。
【請求項４７】
前記ダウンリンク情報が異なる値に対応するとき、前記第１サブフレームの前記サブフレーム構造が異なることは、
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
前記ダウンリンク情報が異なる値に対応するとき、前記第３部分に対応するシンボル数は異なる、
請求項４２に記載のユーザ機器。
【請求項４８】
前記ダウンリンク情報が第７の値に対応するとき、前記第３部分に対応するシンボル数は第４シンボル数である、
前記ダウンリンク情報が第８の値に対応するとき、前記第３部分に対応するシンボル数は第５シンボル数である、
前記ダウンリンク情報が第９の値に対応するとき、前記第３部分に対応するシンボル数は第６シンボル数である、または、
前記ダウンリンク情報が第１０の値に対応するとき、前記第３部分に対応するシンボル数は第７シンボル数である、
請求項４７に記載のユーザ機器。
【請求項４９】
前記第４シンボル数は１であり、前記第５シンボル数は２であり、前記第６シンボル数は４であり、前記第７シンボル数は６である、請求項４８に記載のユーザ機器。
【請求項５０】
前記第４シンボル数、前記第５シンボル数、前記第６シンボル数および前記第７シンボル数は、より高い層のシグナリングを使用することによって構成される、請求項４８に記載のユーザ機器。
【請求項５１】
前記ダウンリンク情報はダウンリンク制御情報フォーマットで搬送され、前記ダウンリンク情報は２ビットに対応し、前記第１の値は００であり、前記第２の値は０１である、請求項４３または４４に記載のユーザ機器。
【請求項５２】
前記ダウンリンク情報は、ダウンリンク制御情報フォーマットで搬送され、前記ダウンリンク情報は、２ビットに対応し、前記第３の値は００であり、前記第４の値は０１であり、前記第５の値は１０であり、前記第６の値は１１である、請求項４５または４６に記載のユーザ機器。
【請求項５３】
前記ダウンリンク情報はダウンリンク制御情報フォーマットで搬送され、前記ダウンリンク情報は、２ビットに対応し、前記第７の値は００であり、前記第８の値は０１であり、前記第９の値は１０であり、前記第１０の値は１１である、請求項４７から５０のいずれか一項に記載のユーザ機器。
【請求項５４】
前記ダウンリンク情報は、ダウンリンク制御情報フォーマットで搬送され、前記ダウンリンク制御情報フォーマットに対応するビットの数は、ダウンリンク制御情報フォーマット１Ｃに対応するビットの数と同一であり、前記ダウンリンク制御情報フォーマットは、Ｉ個のダウンリンク情報を含み、前記Ｉ個のダウンリンク情報の各々はＮビットに対応し、
【数１】
2019504554.tif 000031
であり、
【数２】
2019504554.tif 000032
は、前記ダウンリンク制御情報フォーマット１Ｃが１つの物理ダウンリンク共有チャネルコードワードをスケジューリングするために使用されるときに前記ダウンリンク制御情報フォーマット１Ｃに対応するビットの数に等しく、前記Ｉ個のダウンリンク情報は、異なるサービングセルに対応し、Ｉ≧１、Ｎ≧１であり、ＩおよびＮは両方とも整数である、
請求項４１から５３のいずれか一項に記載のユーザ機器。
【請求項５５】
前記ダウンリンク情報は、ダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルを伝送するためのサブフレームである、請求項４１から５３のいずれか一項に記載のユーザ機器。
【請求項５６】
前記ダウンリンク情報は、ダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルに対応するハイブリッド自動再送要求−肯定応答情報を伝送するためのサブフレームである、請求項４１から５３のいずれか一項に記載のユーザ機器。
【請求項５７】
前記ダウンリンク情報は、無線フレーム１において搬送され、前記第１サブフレームは無線フレーム２に属し、前記無線フレーム１は、１つの無線フレームだけを含み、前記無線フレーム２は、Ｍ個の連続する無線フレームを含み、Ｍ≧１であり、Ｍは整数である、請求項４１から５４のいずれか一項に記載のユーザ機器。
【請求項５８】
前記無線フレーム２における１番目の無線フレームは、前記無線フレーム１の後の１番目の無線フレームである、請求項５７に記載のユーザ機器。
【請求項５９】
前記ダウンリンク情報は、前記無線フレーム１におけるＲ個のサブフレームにおいて搬送され、前記Ｒ個のサブフレームは、前記無線フレーム１におけるサブフレーム０を含み、Ｒ≧１であり、Ｒは整数である、請求項５７に記載のユーザ機器。
【請求項６０】
前記第１サブフレームは、前記無線フレーム２における各無線フレームにおけるサブフレーム３、サブフレーム４、サブフレーム８またはサブフレーム９のうちの１つまたは複数である、請求項５７に記載のユーザ機器。
【請求項６１】
メモリ、プロセッサおよび送受信器を備える基地局であって、
前記メモリはコードを記憶するように構成され、前記プロセッサは、前記メモリに記憶された前記コードに従って、第１サブフレームのサブフレーム構造を決定する動作を実行し、
前記送受信器は、ダウンリンク情報をユーザ機器へ送信するように構成され、前記ダウンリンク情報は、前記ダウンリンク情報に従って、前記第１サブフレームの前記サブフレーム構造を決定するように前記ユーザ機器に命令するために使用され、
前記プロセッサはさらに、前記第１サブフレームの前記サブフレーム構造に従って、前記ユーザ機器のサービングセルのフレーム構造を決定するように構成され、
前記送受信器はさらに、前記サービングセルの決定された前記フレーム構造に従って、前記サービングセルにおいて情報を前記ユーザ機器へ送信し、前記サービングセルの決定された前記フレーム構造に従って、前記ユーザ機器によって送信された情報を前記サービングセルにおいて受信するように構成されている、
基地局。
【請求項６２】
前記ダウンリンク情報が異なる値に対応するとき、前記第１サブフレームの前記サブフレーム構造は異なる、請求項６１に記載の基地局。
【請求項６３】
前記ダウンリンク情報が第１の値に対応するとき、前記第１サブフレームはデフォルトのサブフレームであり、前記第１サブフレームの前記サブフレーム構造は、前記デフォルトのサブフレームのサブフレーム構造であり、前記デフォルトのサブフレームはダウンリンクサブフレームもしくはアップリンクサブフレームである、または、
前記ダウンリンク情報が第２の値に対応するとき、前記第１サブフレームの前記サブフレーム構造は、３つの部分を含み、第１部分はダウンリンク伝送に使用されるシンボルであり、第２部分はガード期間ＧＰであり、第３部分はアップリンク伝送に使用されるシンボルである、
請求項６２に記載の基地局。
【請求項６４】
前記第３部分に対応するシンボル数は５または６である、請求項６３に記載の基地局。
【請求項６５】
前記ダウンリンク情報が第３の値に対応するとき、前記第１サブフレームはデフォルトのサブフレームであり、前記第１サブフレームの前記サブフレーム構造は前記デフォルトのサブフレームのサブフレーム構造であり、前記デフォルトのサブフレームはダウンリンクサブフレームまたはアップリンクサブフレームである、
前記ダウンリンク情報が第４の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第１シンボル数である、
前記ダウンリンク情報が第５の値に対応するとき、前記第１サブフレームの前記サブフレーム構造は、３つの部分を有し、第１部分はダウンリンク伝送に使用されるシンボルであり、第２部分はガード期間ＧＰであり、第３部分はアップリンク伝送に使用されるシンボルであり、前記第３部分に対応するシンボル数は第２シンボル数である、または、
前記ダウンリンク情報が第６の値に対応するとき、前記第１サブフレームの前記サブフレーム構造は３つの部分を含み、第１部分はダウンリンク伝送に使用されるシンボルであり、第２部分はガード期間ＧＰであり、第３部分はアップリンク伝送に使用されるシンボルであり、前記第３部分に対応するシンボル数は第３シンボル数である、
請求項６２に記載の基地局。
【請求項６６】
前記第１シンボル数は３であり、前記第２シンボル数は６であり、前記第３シンボル数は９である、請求項６５に記載の基地局。
【請求項６７】
前記ダウンリンク情報が異なる値に対応するとき、前記第１サブフレームの前記サブフレーム構造が異なることは、
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
前記ダウンリンク情報が異なる値に対応するとき、前記第３部分に対応するシンボル数は異なる、
請求項６２に記載の基地局。
【請求項６８】
前記ダウンリンク情報が第７の値に対応するとき、前記第３部分に対応するシンボル数は第４シンボル数である、
前記ダウンリンク情報が第８の値に対応するとき、前記第３部分に対応するシンボル数は第５シンボル数である、
前記ダウンリンク情報が第９の値に対応するとき、前記第３部分に対応するシンボル数は第６シンボル数である、または、
前記ダウンリンク情報が第１０の値に対応するとき、前記第３部分に対応するシンボル数は第７シンボル数である、
請求項６７に記載の基地局。
【請求項６９】
前記第４シンボル数は１であり、前記第５シンボル数は２であり、前記第６シンボル数は４であり、前記第７シンボル数は６である、請求項６８に記載の基地局。
【請求項７０】
前記第４シンボル数、前記第５シンボル数、前記第６シンボル数および前記第７シンボル数は、より高い層のシグナリングを使用することによって構成される、請求項６８に記載の基地局。
【請求項７１】
前記ダウンリンク情報はダウンリンク制御情報フォーマットで搬送され、前記ダウンリンク情報は２ビットに対応し、前記第１の値は００であり、前記第２の値は０１である、請求項６３または６４に記載の基地局。
【請求項７２】
前記ダウンリンク情報は、ダウンリンク制御情報フォーマットで搬送され、前記ダウンリンク情報は、２ビットに対応し、前記第３の値は００であり、前記第４の値は０１であり、前記第５の値は１０であり、前記第６の値は１１である、請求項６５または６６に記載の基地局。
【請求項７３】
前記ダウンリンク情報は、ダウンリンク制御情報フォーマットで搬送され、前記ダウンリンク情報は、２ビットに対応し、前記第７の値は００であり、前記第８の値は０１であり、前記第９の値は１０であり、前記第１０の値は１１である、請求項６７から７０のいずれか一項に記載の基地局。
【請求項７４】
前記ダウンリンク情報は、ダウンリンク制御情報フォーマットで搬送され、前記ダウンリンク制御情報フォーマットに対応するビットの数は、ダウンリンク制御情報フォーマット１Ｃに対応するビットの数と同一であり、前記ダウンリンク制御情報フォーマットは、Ｉ個のダウンリンク情報を含み、前記Ｉ個のダウンリンク情報の各々はＮビットに対応し、
【数１】
2019504554.tif 000033
であり、
【数２】
2019504554.tif 000034
は、前記ダウンリンク制御情報フォーマット１Ｃが１つの物理ダウンリンク共有チャネルコードワードをスケジューリングするために使用されるときに前記ダウンリンク制御情報フォーマット１Ｃに対応するビットの数に等しく、前記Ｉ個のダウンリンク情報は、異なるサービングセルに対応し、Ｉ≧１、Ｎ≧１であり、ＩおよびＮは両方とも整数である、
請求項６１から７３のいずれか一項に記載の基地局。
【請求項７５】
前記ダウンリンク情報は、ダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルを伝送するためのサブフレームである、請求項６１から７３のいずれか一項に記載の基地局。
【請求項７６】
前記ダウンリンク情報は、ダウンリンク制御情報フォーマットで搬送され、前記ダウンリンク制御情報フォーマットは、物理ダウンリンク共有チャネルをスケジューリングするために使用され、前記第１サブフレームは、前記物理ダウンリンク共有チャネルに対応するハイブリッド自動再送要求−肯定応答情報を伝送するためのサブフレームである、請求項６１から７３のいずれか一項に記載の基地局。
【請求項７７】
前記ダウンリンク情報は、無線フレーム１において搬送され、前記第１サブフレームは無線フレーム２に属し、前記無線フレーム１は、１つの無線フレームだけを含み、前記無線フレーム２は、Ｍ個の連続する無線フレームを含み、Ｍ≧１であり、Ｍは整数である、請求項６１から７４のいずれか一項に記載の基地局。
【請求項７８】
前記無線フレーム２における１番目の無線フレームは、前記無線フレーム１の後の１番目の無線フレームである、請求項７７に記載の基地局。
【請求項７９】
前記ダウンリンク情報は、前記無線フレーム１におけるＲ個のサブフレームにおいて搬送され、前記Ｒ個のサブフレームは、前記無線フレーム１におけるサブフレーム０を含み、Ｒ≧１であり、Ｒは整数である、請求項７７に記載の基地局。
【請求項８０】
前記第１サブフレームは、前記無線フレーム２における各無線フレームにおけるサブフレーム３、サブフレーム４、サブフレーム８またはサブフレーム９のうちの１つまたは複数である、請求項７７に記載の基地局。
【請求項８１】
請求項４１から６０のいずれか一項に記載のユーザ機器と、
請求項６１から８０のいずれか一項に記載の基地局と
を備える、情報を送信および受信するためのシステム。
【発明の詳細な説明】
【技術分野】
【０００１】
本発明は、通信技術の分野に関連し、特に、情報を送受信するための方法、装置およびシステムに関連する。
【背景技術】
【０００２】
現在、ロングタームエボリューション（Ｌｏｎｇ  Ｔｅｒｍ  Ｅｖｏｌｕｔｉｏｎ、省略名：ＬＴＥ）システムは、２つのフレーム構造を含む。一方は、周波数分割複信（Ｆｒｅｑｕｅｎｃｙ  Ｄｉｖｉｓｉｏｎ  Ｄｕｐｌｅｘ、省略名：ＦＤＤ）に適用され、他方は、時分割複信（Ｔｉｍｅ  Ｄｉｖｉｓｉｏｎ  Ｄｕｐｌｅｘ、省略名：ＴＤＤ）に適用される。２つフレーム構造における各サブフレーム（Ｓｕｂｆｒａｍｅ）の長さは、１ｍｓである。
【０００３】
ＬＴＥシステムにおけるハイブリッド自動再送信をサポートするために、端末は、物理アップリンク制御チャネル（Ｐｈｙｓｉｃａｌ  Ｕｐｌｉｎｋ  Ｃｏｎｔｒｏｌ  Ｃｈａｎｎｅｌ、省略名：ＰＵＣＣＨ）および物理アップリンク共有チャネル（Ｐｈｙｓｉｃａｌ  Ｕｐｌｉｎｋ  Ｓｈａｒｅｄ  Ｃｈａｎｎｅｌ、省略名：ＰＵＳＣＨ）を使用することによって、物理ダウンリンク共有チャネル（Ｐｈｙｓｉｃａｌ  Ｄｏｗｎｌｉｎｋ  Ｓｈａｒｅｄ  Ｃｈａｎｎｅｌ、省略名：ＰＤＳＣＨ）伝送のハイブリッド自動再送要求（Ｈｙｂｒｉｄ  Ａｕｔｏｍａｔｉｃ  Ｒｅｐｅａｔ  Ｒｅｑｕｅｓｔ、省略名：ＨＡＲＱ）肯定応答を基地局へフィードバックする必要がある。ハイブリッド自動再送要求の肯定応答は、ＨＡＲＱ−ＡＣＫと表されるか、または、単純にＡＣＫ（Ａｃｋｎｏｗｌｅｄｇｍｅｎｔ、肯定応答）／ＮＡＣＫ（Ｎｅｇａｔｉｖｅ  Ａｃｋｎｏｗｌｅｄｇｅｍｅｎｔ、否定応答）と称され得る。端末は、物理ハイブリッド自動再送要求指示チャネル（Ｐｈｙｓｉｃａｌ  Ｈｙｂｒｉｄ−ＡＲＱ  Ｉｎｄｉｃａｔｏｒ  Ｃｈａｎｎｅｌ、省略名：ＰＨＩＣＨ）を使用することによって、ＰＵＳＣＨに対応するＨＡＲＱ−ＡＣＫを受信する必要がある。
【０００４】
既存のＬＴＥシステムにおいて、ＦＤＤの場合、ダウンリンクサブフレームｎ−４（ｎ≧４、ｎは整数）において伝送されるＰＤＳＣＨに対応するＨＡＲＱ−ＡＣＫは、アップリンクサブフレームｎにおいてフィードバックされる。ＴＤＤの場合、ダウンリンクサブフレームｎ−ｋにおいて伝送されるＰＤＳＣＨに対応するＨＡＲＱ−ＡＣＫは、アップリンクサブフレームｎにおいてフィードバックされ、ここで、ｋの値は、４に等しいか、または、それより大きい。すなわち、ＨＡＲＱ−ＡＣＫは、少なくとも４つのサブフレームの後に初めてフィードバックされることができる。従って、ＨＡＲＱのラウンドトリップタイム（Ｒｏｕｎｄ−Ｔｒｉｐ  Ｔｉｍｅ、省略名：ＲＴＴ）が比較的大きく、ユーザプレーンに大きい遅延があり、低レイテンシサービスを提供できない。
【発明の概要】
【０００５】
本発明の実施形態は、レイテンシを低減しユーザエクスペリエンスを改善するための、情報を送信および受信する方法、装置およびシステムを提供する。
【０００６】
上述の目的を実現するために、以下の技術的解決法が本発明の実施形態において使用される。
【０００７】
第１態様によれば、情報を送信および受信するための方法が提供され、当該方法は、ユーザ機器がダウンリンク情報を受信する段階と、ユーザ機器がダウンリンク情報に従って第１サブフレームのサブフレーム構造を決定する段階と、ユーザ機器が第１サブフレームのサブフレーム構造に従ってサービングセルのフレーム構造を決定する段階と、ユーザ機器がサービングセルの決定されたフレーム構造に従って、サービングセルにおいて情報を送信および受信する段階とを備える。
【０００８】
第１態様に関連して、第１の可能な実装において、ダウンリンク情報が異なる値に対応するとき、第１サブフレームのサブフレーム構造は異なる。
【０００９】
第１態様の第１の可能な実装に関連して、第２の可能な実装において、ダウンリンク情報が第１の値に対応するとき、第１サブフレームはデフォルトのサブフレームであり、第１サブフレームのサブフレーム構造は、デフォルトのサブフレームのサブフレーム構造であり、デフォルトのサブフレームは、ダウンリンクサブフレームもしくはアップリンクサブフレームである、または、ダウンリンク情報が第２の値に対応するとき、第１サブフレームのサブフレーム構造は３つの部分を含み、第１部分はダウンリンク伝送に使用されるシンボルであり、第２部分はガード期間ＧＰであり、第３部分は、アップリンク伝送に使用されるシンボルである。
【００１０】
第１態様の第２の可能な実装に関連して、第３の可能な実装において、第３部分に対応するシンボル数は５または６である。
【００１１】
第１態様の第１の可能な実装に関連して、第４の可能な実装において、ダウンリンク情報が第３の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである、または、ダウンリンク情報が第４の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である、または、ダウンリンク情報が第５の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である、または、ダウンリンク情報が第６の値に対応するとき、第１サブフレームのサブフレーム構造は３つの部分を含み、第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【００１２】
第１態様の第４の可能な実装に関連して、第５の可能な実装において、第１シンボル数は３であり、第２シンボル数は６であり、第３シンボル数は９である。
【００１３】
第１態様の第１の可能な実装に関連して、第６の可能な実装において、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【００１４】
第１態様の第６の可能な実装に関連して、第７の可能な実装において、ダウンリンク情報が第７の値に対応するとき、第３部分に対応するシンボル数は第４シンボル数である、または、ダウンリンク情報が第８の値に対応するとき、第３部分に対応するシンボル数は第５シンボル数である、または、ダウンリンク情報が第９の値に対応するとき、第３部分に対応するシンボル数は第６シンボル数である、または、ダウンリンク情報が第１０の値に対応するとき、第３部分に対応するシンボル数は第７シンボル数である。
【００１５】
第１態様の第７の可能な実装に関連して、第８の可能な実装において、第４シンボル数は１であり、第５シンボル数は２であり、第６シンボル数は４であり、第７シンボル数は６である。
【００１６】
第１態様の第７の可能な実装に関連して、第９の可能な実装において、第４シンボル数、第５シンボル数、第６シンボル数および第７シンボル数は、より高い層のシグナリングを使用することによって構成される。
【００１７】
第１態様の第２または第３の可能な実装に関連して、第１０の可能な実装において、ダウンリンク情報は、ダウンリンク制御情報フォーマットで搬送され、ダウンリンク情報は２ビットに対応し、第１の値は００であり、第２の値は０１である。
【００１８】
第１態様の第４または第５の可能な実装に関連して、第１１の可能な実装において、ダウンリンク情報は、ダウンリンク制御情報フォーマットで搬送され、ダウンリンク情報は２ビットに対応し、第３の値は００であり、第４の値は０１であり、第５の値は１０であり、第６の値は１１である。
【００１９】
第１態様の第６から第９の可能な実装のいずれか１つに関連して、第１２の可能な実装において、ダウンリンク情報はダウンリンク制御情報フォーマットで搬送され、ダウンリンク情報は２ビットに対応し、第７の値は００であり、第８の値は０１であり、第９の値は１０であり、第１０の値は１１である。
【００２０】
第１態様、または、第１態様の第１から第１２の可能な実装のいずれか１つに関連して、第１３の可能な実装において、ダウンリンク情報は、ダウンリンク制御情報フォーマットで搬送され、ダウンリンク制御情報フォーマットに対応するビットの数は、ダウンリンク制御情報フォーマット１Ｃに対応するビットの数と同一であり、ダウンリンク制御情報フォーマットは、Ｉ個のダウンリンク情報を含み、Ｉ個のダウンリンク情報の各々はＮビットに対応し、
【数１】
2019504554.tif 000003
であり、
【数２】
2019504554.tif 000004
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しく、Ｉ個のダウンリンク情報は、異なるサービングセルに対応し、Ｉ≧１、Ｎ≧１であり、ＩおよびＮは両方とも整数である。
【００２１】
第１態様、または、第１態様の第１から第１２の可能な実装のいずれか１つに関連して、第１４の可能な実装において、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【００２２】
第１態様、または、第１態様の第１から第１２の可能な実装のいずれか１つに関連して、第１５の可能な実装において、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【００２３】
第１態様、または、第１態様の第１から第１３の可能な実装のいずれか１つに関連して、第１６の可能な実装において、ダウンリンク情報は無線フレーム１において搬送され、第１サブフレームは無線フレーム２に属し、無線フレーム１は、１つの無線フレームのみを含み、無線フレーム２は、Ｍ個の連続する無線フレームを含み、Ｍ≧１であり、Ｍは整数である。
【００２４】
第１態様の第１６の可能な実装に関連して、第１７の可能な実装において、無線フレーム２における１番目の無線フレームは、無線フレーム１の後の１番目の無線フレームである。
【００２５】
第１態様の第１６の可能な実装に関連して、第１８の可能な実装において、ダウンリンク情報は無線フレーム１におけるＲ個のサブフレームにおいて搬送され、Ｒ個のサブフレームは、無線フレーム１におけるサブフレーム０を含み、Ｒ≧１であり、Ｒは整数である。
【００２６】
第１態様の第１６の可能な実装に関連して、第１９の可能な実装において、第１サブフレームは、無線フレーム２における各無線フレームにおけるサブフレーム３、サブフレーム４、サブフレーム８またはサブフレーム９のうちの１つまたは複数である。
【００２７】
第２態様によれば、情報を送信および受信するための方法が提供され、当該方法は、基地局が第１サブフレームのサブフレーム構造を決定する段階と、基地局がダウンリンク情報をユーザ機器へ送信する段階であって、ダウンリンク情報は、第１サブフレームのサブフレーム構造を決定するようにユーザ機器に命令するために使用される、段階と、基地局が第１サブフレームのサブフレーム構造に従ってユーザ機器のサービングセルのフレーム構造を決定する段階と、基地局がサービングセルの決定されたフレーム構造に従って、サービングセルにおいてユーザ機器へ情報を送信し、サービングセルの決定されたフレーム構造に従って、ユーザ機器によって送信された情報をサービングセルにおいて受信する段階とを備える。
【００２８】
第２態様に関連して、第１の可能な実装において、ダウンリンク情報が異なる値に対応するとき、第１サブフレームのサブフレーム構造は異なる。
【００２９】
第２態様の第１の可能な実装に関連して、第２の可能な実装において、ダウンリンク情報が第１の値に対応するとき、第１サブフレームはデフォルトのサブフレームであり、第１サブフレームのサブフレーム構造は、デフォルトのサブフレームのサブフレーム構造であり、デフォルトのサブフレームは、ダウンリンクサブフレームもしくはアップリンクサブフレームである、または、ダウンリンク情報が第２の値に対応するとき、第１サブフレームのサブフレーム構造は、３つの部分を含み、第１部分はダウンリンク伝送に使用されるシンボルであり、第２部分はガード期間ＧＰであり、第３部分はアップリンク伝送に使用されるシンボルである。
【００３０】
第２態様の第２の可能な実装に関連して、第３の可能な実装において、第３部分に対応するシンボル数は５または６である。
【００３１】
第２態様の第１の可能な実装に関連して、第４の可能な実装において、ダウンリンク情報が第３の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである、または、ダウンリンク情報が第４の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である、または、ダウンリンク情報が第５の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である、または、ダウンリンク情報が第６の値に対応するとき、第１サブフレームのサブフレーム構造は３つの部分を含み、第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【００３２】
第２態様の第４の可能な実装に関連して、第５の可能な実装において、第１シンボル数は３であり、第２シンボル数は６であり、第３シンボル数は９である。
【００３３】
第２態様の第１の可能な実装に関連して、第６の可能な実装において、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【００３４】
第２態様の第６の可能な実装に関連して、第７の可能な実装において、ダウンリンク情報が第７の値に対応するとき、第３部分に対応するシンボル数は第４シンボル数である、または、ダウンリンク情報が第８の値に対応するとき、第３部分に対応するシンボル数は第５シンボル数である、または、ダウンリンク情報が第９の値に対応するとき、第３部分に対応するシンボル数は第６シンボル数である、または、ダウンリンク情報が第１０の値に対応するとき、第３部分に対応するシンボル数は第７シンボル数である。
【００３５】
第２態様の第７の可能な実装に関連して、第８の可能な実装において、第４シンボル数は１であり、第５シンボル数は２であり、第６シンボル数は４であり、第７シンボル数は６である。
【００３６】
第２態様の第７の可能な実装に関連して、第９の可能な実装において、第４シンボル数、第５シンボル数、第６シンボル数および第７シンボル数は、より高い層のシグナリングを使用することによって構成される。
【００３７】
第２態様の第２または第３の可能な実装に関連して、第１０の可能な実装において、ダウンリンク情報は、ダウンリンク制御情報フォーマットで搬送され、ダウンリンク情報は２ビットに対応し、第１の値は００であり、第２の値は０１である。
【００３８】
第２態様の第４または第５の可能な実装に関連して、第１１の可能な実装において、ダウンリンク情報は、ダウンリンク制御情報フォーマットで搬送され、ダウンリンク情報は２ビットに対応し、第３の値は００であり、第４の値は０１であり、第５の値は１０であり、第６の値は１１である。
【００３９】
第２態様の第６から第９の可能な実装のいずれか１つに関連して、第１２の可能な実装において、ダウンリンク情報はダウンリンク制御情報フォーマットで搬送され、ダウンリンク情報は２ビットに対応し、第７の値は００であり、第８の値は０１であり、第９の値は１０であり、第１０の値は１１である。
【００４０】
第２態様、または、第２態様の第１から第１２の可能な実装のいずれか１つに関連して、第１３の可能な実装において、ダウンリンク情報は、ダウンリンク制御情報フォーマットで搬送され、ダウンリンク制御情報フォーマットに対応するビットの数は、ダウンリンク制御情報フォーマット１Ｃに対応するビットの数と同一であり、ダウンリンク制御情報フォーマットは、Ｉ個のダウンリンク情報を含み、Ｉ個のダウンリンク情報の各々はＮビットに対応し、
【数１】
2019504554.tif 000005
であり、
【数２】
2019504554.tif 000006
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しく、Ｉ個のダウンリンク情報は、異なるサービングセルに対応し、Ｉ≧１、Ｎ≧１であり、ＩおよびＮは両方とも整数である。
【００４１】
第２態様、または、第２態様の第１から第１２の可能な実装のいずれか１つに関連して、第１４の可能な実装において、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【００４２】
第２態様、または、第２態様の第１から第１２の可能な実装のいずれか１つに関連して、第１５の可能な実装において、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【００４３】
第２態様、または、第２態様の第１から第１３の可能な実装のいずれか１つに関連して、第１６の可能な実装において、ダウンリンク情報は無線フレーム１において搬送され、第１サブフレームは無線フレーム２に属し、無線フレーム１は、１つの無線フレームのみを含み、無線フレーム２は、Ｍ個の連続する無線フレームを含み、Ｍ≧１であり、Ｍは整数である。
【００４４】
第２態様の第１６の可能な実装に関連して、第１７の可能な実装において、無線フレーム２における１番目の無線フレームは、無線フレーム１の後の１番目の無線フレームである。
【００４５】
第２態様の第１６の可能な実装に関連して、第１８の可能な実装において、ダウンリンク情報は無線フレーム１におけるＲ個のサブフレームにおいて搬送され、Ｒ個のサブフレームは、無線フレーム１におけるサブフレーム０を含み、Ｒ≧１であり、Ｒは整数である。
【００４６】
第２態様の第１６の可能な実装に関連して、第１９の可能な実装において、第１サブフレームは、無線フレーム２における各無線フレームにおけるサブフレーム３、サブフレーム４、サブフレーム８またはサブフレーム９のうちの１つまたは複数である。
【００４７】
第３態様によれば、ユーザ機器が提供され、当該ユーザ機器は、ダウンリンク情報を受信するように構成されている送受信ユニットと、ダウンリンク情報に従って第１サブフレームのサブフレーム構造を決定し、第１サブフレームのサブフレーム構造に従ってサービングセルのフレーム構造を決定するように構成されている決定ユニットとを備え、送受信ユニットはさらに、サービングセルの決定されたフレーム構造に従って、サービングセルにおいて情報を送信および受信するように構成されている。
【００４８】
第３態様に関連して、第１の可能な実装において、ダウンリンク情報が異なる値に対応するとき、第１サブフレームのサブフレーム構造は異なる。
【００４９】
第３態様の第１の可能な実装に関連して、第２の可能な実装において、ダウンリンク情報が第１の値に対応するとき、第１サブフレームはデフォルトのサブフレームであり、第１サブフレームのサブフレーム構造は、デフォルトのサブフレームのサブフレーム構造であり、デフォルトのサブフレームは、ダウンリンクサブフレームもしくはアップリンクサブフレームである、または、ダウンリンク情報が第２の値に対応するとき、第１サブフレームのサブフレーム構造は３つの部分を含み、第１部分はダウンリンク伝送に使用されるシンボルであり、第２部分はガード期間ＧＰであり、第３部分は、アップリンク伝送に使用されるシンボルである。
【００５０】
第３態様の第２の可能な実装に関連して、第３の可能な実装において、第３部分に対応するシンボル数は５または６である。
【００５１】
第３態様の第１の可能な実装に関連して、第４の可能な実装において、ダウンリンク情報が第３の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである、または、ダウンリンク情報が第４の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である、または、ダウンリンク情報が第５の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である、または、ダウンリンク情報が第６の値に対応するとき、第１サブフレームのサブフレーム構造は３つの部分を含み、第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【００５２】
第３態様の第４の可能な実装に関連して、第５の可能な実装において、第１シンボル数は３であり、第２シンボル数は６であり、第３シンボル数は９である。
【００５３】
第３態様の第１の可能な実装に関連して、第６の可能な実装において、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【００５４】
第３態様の第６の可能な実装に関連して、第７の可能な実装において、ダウンリンク情報が第７の値に対応するとき、第３部分に対応するシンボル数は第４シンボル数である、または、ダウンリンク情報が第８の値に対応するとき、第３部分に対応するシンボル数は第５シンボル数である、または、ダウンリンク情報が第９の値に対応するとき、第３部分に対応するシンボル数は第６シンボル数である、または、ダウンリンク情報が第１０の値に対応するとき、第３部分に対応するシンボル数は第７シンボル数である。
【００５５】
第３態様の第７の可能な実装に関連して、第８の可能な実装において、第４シンボル数は１であり、第５シンボル数は２であり、第６シンボル数は４であり、第７シンボル数は６である。
【００５６】
第３態様の第７の可能な実装に関連して、第９の可能な実装において、第４シンボル数、第５シンボル数、第６シンボル数および第７シンボル数は、より高い層のシグナリングを使用することによって構成される。
【００５７】
第３態様の第２または第３の可能な実装に関連して、第１０の可能な実装において、ダウンリンク情報は、ダウンリンク制御情報フォーマットで搬送され、ダウンリンク情報は２ビットに対応し、第１の値は００であり、第２の値は０１である。
【００５８】
第３態様の第４または第５の可能な実装に関連して、第１１の可能な実装において、ダウンリンク情報は、ダウンリンク制御情報フォーマットで搬送され、ダウンリンク情報は２ビットに対応し、第３の値は００であり、第４の値は０１であり、第５の値は１０であり、第６の値は１１である。
【００５９】
第３態様の第６から第９の可能な実装のいずれか１つに関連して、第１２の可能な実装において、ダウンリンク情報はダウンリンク制御情報フォーマットで搬送され、ダウンリンク情報は２ビットに対応し、第７の値は００であり、第８の値は０１であり、第９の値は１０であり、第１０の値は１１である。
【００６０】
第３態様、または、第３態様の第１から第１２の可能な実装のいずれか１つに関連して、第１３の可能な実装において、ダウンリンク情報は、ダウンリンク制御情報フォーマットで搬送され、ダウンリンク制御情報フォーマットに対応するビットの数は、ダウンリンク制御情報フォーマット１Ｃに対応するビットの数と同一であり、ダウンリンク制御情報フォーマットは、Ｉ個のダウンリンク情報を含み、Ｉ個のダウンリンク情報の各々はＮビットに対応し、
【数１】
2019504554.tif 000007
であり、
【数２】
2019504554.tif 000008
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しく、Ｉ個のダウンリンク情報は、異なるサービングセルに対応し、Ｉ≧１、Ｎ≧１であり、ＩおよびＮは両方とも整数である。
【００６１】
第３態様、または、第３態様の第１から第１２の可能な実装のいずれか１つに関連して、第１４の可能な実装において、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【００６２】
第３態様、または、第３態様の第１から第１２の可能な実装のいずれか１つに関連して、第１５の可能な実装において、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【００６３】
第３態様、または、第３態様の第１から第１３の可能な実装のいずれか１つに関連して、第１６の可能な実装において、ダウンリンク情報は無線フレーム１において搬送され、第１サブフレームは無線フレーム２に属し、無線フレーム１は、１つの無線フレームのみを含み、無線フレーム２は、Ｍ個の連続する無線フレームを含み、Ｍ≧１であり、Ｍは整数である。
【００６４】
第３態様の第１６の可能な実装に関連して、第１７の可能な実装において、無線フレーム２における１番目の無線フレームは、無線フレーム１の後の１番目の無線フレームである。
【００６５】
第３態様の第１６の可能な実装に関連して、第１８の可能な実装において、ダウンリンク情報は無線フレーム１におけるＲ個のサブフレームにおいて搬送され、Ｒ個のサブフレームは、無線フレーム１におけるサブフレーム０を含み、Ｒ≧１であり、Ｒは整数である。
【００６６】
第３態様の第１６の可能な実装に関連して、第１９の可能な実装において、第１サブフレームは、無線フレーム２における各無線フレームにおけるサブフレーム３、サブフレーム４、サブフレーム８またはサブフレーム９のうちの１つまたは複数である。
【００６７】
第４態様によれば、基地局が提供され、当該基地局は、第１サブフレームのサブフレーム構造を決定するように構成されている決定ユニットと、ダウンリンク情報をユーザ機器へ送信するように構成されている送受信ユニットであって、ダウンリンク情報は、第１サブフレームのサブフレーム構造を決定するようにユーザ機器に命令するために使用される、送受信ユニットとを備え、決定ユニットはさらに、第１サブフレームのサブフレーム構造に従って、ユーザ機器のサービングセルのフレーム構造を決定するように構成され、送受信ユニットはさらに、サービングセルの決定されたフレーム構造に従って、サービングセルにおいてユーザ機器へ情報を送信し、決定されたフレーム構造に従って、ユーザ機器によって送信されたサービングセル情報をサービングセルにおいて受信するように構成されている。
【００６８】
第４態様に関連して、第１の可能な実装において、ダウンリンク情報が異なる値に対応するとき、第１サブフレームのサブフレーム構造は異なる。
【００６９】
第４態様の第１の可能な実装に関連して、第２の可能な実装において、ダウンリンク情報が第１の値に対応するとき、第１サブフレームはデフォルトのサブフレームであり、第１サブフレームのサブフレーム構造は、デフォルトのサブフレームのサブフレーム構造であり、デフォルトのサブフレームは、ダウンリンクサブフレームもしくはアップリンクサブフレームである、または、ダウンリンク情報が第２の値に対応するとき、第１サブフレームのサブフレーム構造は３つの部分を含み、第１部分はダウンリンク伝送に使用されるシンボルであり、第２部分はガード期間ＧＰであり、第３部分は、アップリンク伝送に使用されるシンボルである。
【００７０】
第４態様の第２の可能な実装に関連して、第３の可能な実装において、第３部分に対応するシンボル数は５または６である。
【００７１】
第４態様の第１の可能な実装に関連して、第４の可能な実装において、ダウンリンク情報が第３の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである、または、ダウンリンク情報が第４の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である、または、ダウンリンク情報が第５の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である、または、ダウンリンク情報が第６の値に対応するとき、第１サブフレームのサブフレーム構造は３つの部分を含み、第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【００７２】
第４態様の第４の可能な実装に関連して、第５の可能な実装において、第１シンボル数は３であり、第２シンボル数は６であり、第３シンボル数は９である。
【００７３】
第４態様の第１の可能な実装に関連して、第６の可能な実装において、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【００７４】
第４態様の第６の可能な実装に関連して、第７の可能な実装において、ダウンリンク情報が第７の値に対応するとき、第３部分に対応するシンボル数は第４シンボル数である、または、ダウンリンク情報が第８の値に対応するとき、第３部分に対応するシンボル数は第５シンボル数である、または、ダウンリンク情報が第９の値に対応するとき、第３部分に対応するシンボル数は第６シンボル数である、または、ダウンリンク情報が第１０の値に対応するとき、第３部分に対応するシンボル数は第７シンボル数である。
【００７５】
第４態様の第７の可能な実装に関連して、第８の可能な実装において、第４シンボル数は１であり、第５シンボル数は２であり、第６シンボル数は４であり第７シンボル数は６である。
【００７６】
第４態様の第７の可能な実装に関連して、第９の可能な実装において、第４シンボル数、第５シンボル数、第６シンボル数および第７シンボル数は、より高い層のシグナリングを使用することによって構成される。
【００７７】
第４態様の第２または第３の可能な実装に関連して、第１０の可能な実装において、ダウンリンク情報は、ダウンリンク制御情報フォーマットで搬送され、ダウンリンク情報は２ビットに対応し、第１の値は００であり、第２の値は０１である。
【００７８】
第４態様の第４または第５の可能な実装に関連して、第１１の可能な実装において、ダウンリンク情報は、ダウンリンク制御情報フォーマットで搬送され、ダウンリンク情報は２ビットに対応し、第３の値は００であり、第４の値は０１であり、第５の値は１０であり、第６の値は１１である。
【００７９】
第４態様の第６から第９の可能な実装のいずれか１つに関連して、第１２の可能な実装において、ダウンリンク情報はダウンリンク制御情報フォーマットで搬送され、ダウンリンク情報は２ビットに対応し、第７の値は００であり、第８の値は０１であり、第９の値は１０であり、第１０の値は１１である。
【００８０】
第４態様、または、第４態様の第１から第１２の可能な実装のいずれか１つに関連して、第１３の可能な実装において、ダウンリンク情報は、ダウンリンク制御情報フォーマットで搬送され、ダウンリンク制御情報フォーマットに対応するビットの数は、ダウンリンク制御情報フォーマット１Ｃに対応するビットの数と同一であり、ダウンリンク制御情報フォーマットは、Ｉ個のダウンリンク情報を含み、Ｉ個のダウンリンク情報の各々はＮビットに対応し、
【数１】
2019504554.tif 000009
であり、
【数２】
2019504554.tif 000010
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しく、Ｉ個のダウンリンク情報は、異なるサービングセルに対応し、Ｉ≧１、Ｎ≧１であり、ＩおよびＮは両方とも整数である。
【００８１】
第４態様、または、第４態様の第１から第１２の可能な実装のいずれか１つに関連して、第１４の可能な実装において、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【００８２】
第４態様、または、第４態様の第１から第１２の可能な実装のいずれか１つに関連して、第１５の可能な実装において、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【００８３】
第４態様、または、第４態様の第１から第１３の可能な実装のいずれか１つに関連して、第１６の可能な実装において、ダウンリンク情報は無線フレーム１において搬送され、第１サブフレームは無線フレーム２に属し、無線フレーム１は、１つの無線フレームのみを含み、無線フレーム２は、Ｍ個の連続する無線フレームを含み、Ｍ≧１であり、Ｍは整数である。
【００８４】
第４態様の第１６の可能な実装に関連して、第１７の可能な実装において、無線フレーム２における１番目の無線フレームは、無線フレーム１の後の１番目の無線フレームである。
【００８５】
第４態様の第１６の可能な実装に関連して、第１８の可能な実装において、ダウンリンク情報は無線フレーム１におけるＲ個のサブフレームにおいて搬送され、Ｒ個のサブフレームは、無線フレーム１におけるサブフレーム０を含み、Ｒ≧１であり、Ｒは整数である。
【００８６】
第４態様の第１６の可能な実装に関連して、第１９の可能な実装において、第１サブフレームは、無線フレーム２における各無線フレームにおけるサブフレーム３、サブフレーム４、サブフレーム８またはサブフレーム９のうちの１つまたは複数である。
【００８７】
第５態様によれば、ユーザ機器が提供され、当該ユーザ機器は、送受信器、メモリおよびプロセッサを備え、送受信器はダウンリンク情報を受信するように構成され、メモリはコードを記憶するように構成され、プロセッサは、メモリに記憶されたコードに従って、ダウンリンク情報に従って第１サブフレームのサブフレーム構造を決定する動作と、第１サブフレームのサブフレーム構造に従ってサービングセルのフレーム構造を決定する動作とを実行し、送受信器はさらに、サービングセルの決定されたフレーム構造に従って、サービングセルにおいて情報を送信および受信するように構成されている。
【００８８】
第５態様に関連して、第１の可能な実装において、ダウンリンク情報が異なる値に対応するとき、第１サブフレームのサブフレーム構造は異なる。
【００８９】
第５態様の第１の可能な実装に関連して、第２の可能な実装において、ダウンリンク情報が第１の値に対応するとき、第１サブフレームはデフォルトのサブフレームであり、第１サブフレームのサブフレーム構造は、デフォルトのサブフレームのサブフレーム構造であり、デフォルトのサブフレームは、ダウンリンクサブフレームもしくはアップリンクサブフレームである、または、ダウンリンク情報が第２の値に対応するとき、第１サブフレームのサブフレーム構造は３つの部分を含み、第１部分はダウンリンク伝送に使用されるシンボルであり、第２部分はガード期間ＧＰであり、第３部分は、アップリンク伝送に使用されるシンボルである。
【００９０】
第５態様の第２の可能な実装に関連して、第３の可能な実装において、第３部分に対応するシンボル数は５または６である。
【００９１】
第５態様の第１の可能な実装に関連して、第４の可能な実装において、ダウンリンク情報が第３の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである、または、ダウンリンク情報が第４の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である、または、ダウンリンク情報が第５の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である、または、ダウンリンク情報が第６の値に対応するとき、第１サブフレームのサブフレーム構造は３つの部分を含み、第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【００９２】
第５態様の第４の可能な実装に関連して、第５の可能な実装において、第１シンボル数は３であり、第２シンボル数は６であり、第３シンボル数は９である。
【００９３】
第５態様の第１の可能な実装に関連して、第６の可能な実装において、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【００９４】
第５態様の第６の可能な実装に関連して、第７の可能な実装において、ダウンリンク情報が第７の値に対応するとき、第３部分に対応するシンボル数は第４シンボル数である、または、ダウンリンク情報が第８の値に対応するとき、第３部分に対応するシンボル数は第５シンボル数である、または、ダウンリンク情報が第９の値に対応するとき、第３部分に対応するシンボル数は第６シンボル数である、または、ダウンリンク情報が第１０の値に対応するとき、第３部分に対応するシンボル数は第７シンボル数である。
【００９５】
第５態様の第７の可能な実装に関連して、第８の可能な実装において、第４シンボル数は１であり、第５シンボル数は２であり、第６シンボル数は４であり第７シンボル数は６である。
【００９６】
第５態様の第７の可能な実装に関連して、第９の可能な実装において、第４シンボル数、第５シンボル数、第６シンボル数および第７シンボル数は、より高い層のシグナリングを使用することによって構成される。
【００９７】
第５態様の第２または第３の可能な実装に関連して、第１０の可能な実装において、ダウンリンク情報は、ダウンリンク制御情報フォーマットで搬送され、ダウンリンク情報は２ビットに対応し、第１の値は００であり、第２の値は０１である。
【００９８】
第５態様の第４または第５の可能な実装に関連して、第１１の可能な実装において、ダウンリンク情報は、ダウンリンク制御情報フォーマットで搬送され、ダウンリンク情報は２ビットに対応し、第３の値は００であり、第４の値は０１であり、第５の値は１０であり、第６の値は１１である。
【００９９】
第５態様の第６から第９の可能な実装のいずれか１つに関連して、第１２の可能な実装において、ダウンリンク情報はダウンリンク制御情報フォーマットで搬送され、ダウンリンク情報は２ビットに対応し、第７の値は００であり、第８の値は０１であり、第９の値は１０であり、第１０の値は１１である。
【０１００】
第５態様、または、第５態様の第１から第１２の可能な実装のいずれか１つに関連して、第１３の可能な実装において、ダウンリンク情報は、ダウンリンク制御情報フォーマットで搬送され、ダウンリンク制御情報フォーマットに対応するビットの数は、ダウンリンク制御情報フォーマット１Ｃに対応するビットの数と同一であり、ダウンリンク制御情報フォーマットは、Ｉ個のダウンリンク情報を含み、Ｉ個のダウンリンク情報の各々はＮビットに対応し、
【数１】
2019504554.tif 000011
であり、
【数２】
2019504554.tif 000012
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しく、Ｉ個のダウンリンク情報は、異なるサービングセルに対応し、Ｉ≧１、Ｎ≧１であり、ＩおよびＮは両方とも整数である。
【０１０１】
第５態様、または、第５態様の第１から第１２の可能な実装のいずれか１つに関連して、第１４の可能な実装において、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【０１０２】
第５態様、または、第５態様の第１から第１２の可能な実装のいずれか１つに関連して、第１５の可能な実装において、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【０１０３】
第５態様、または、第５態様の第１から第１３の可能な実装のいずれか１つに関連して、第１６の可能な実装において、ダウンリンク情報は無線フレーム１において搬送され、第１サブフレームは無線フレーム２に属し、無線フレーム１は、１つの無線フレームのみを含み、無線フレーム２は、Ｍ個の連続する無線フレームを含み、Ｍ≧１であり、Ｍは整数である。
【０１０４】
第５態様の第１６の可能な実装に関連して、第１７の可能な実装において、無線フレーム２における１番目の無線フレームは、無線フレーム１の後の１番目の無線フレームである。
【０１０５】
第５態様の第１６の可能な実装に関連して、第１８の可能な実装において、ダウンリンク情報は無線フレーム１におけるＲ個のサブフレームにおいて搬送され、Ｒ個のサブフレームは、無線フレーム１におけるサブフレーム０を含み、Ｒ≧１であり、Ｒは整数である。
【０１０６】
第５態様の第１６の可能な実装に関連して、第１９の可能な実装において、第１サブフレームは、無線フレーム２における各無線フレームにおけるサブフレーム３、サブフレーム４、サブフレーム８またはサブフレーム９のうちの１つまたは複数である。
【０１０７】
第６態様によれば、基地局が提供され、当該基地局は、メモリ、プロセッサおよび送受信器を備え、メモリはコードを記憶するように構成され、プロセッサは、メモリに記憶されたコードに従って、第１サブフレームのサブフレーム構造を決定する動作を実行し、送受信器は、ダウンリンク情報をユーザ機器へ送信するように構成され、ダウンリンク情報は、第１サブフレームのサブフレーム構造を決定するようにユーザ機器に命令するために使用され、プロセッサはさらに、第１サブフレームのサブフレーム構造に従って、ユーザ機器のサービングセルのフレーム構造を決定するように構成され、送受信器はさらに、サービングセルの決定されたフレーム構造に従って、サービングセルにおいて情報をユーザ機器へ送信し、サービングセルの決定されたフレーム構造に従って、ユーザ機器によって送信された情報をサービングセルにおいて受信するように構成されている。
【０１０８】
第６態様に関連して、第１の可能な実装において、ダウンリンク情報が異なる値に対応するとき、第１サブフレームのサブフレーム構造は異なる。
【０１０９】
第６態様の第１の可能な実装に関連して、第２の可能な実装において、ダウンリンク情報が第１の値に対応するとき、第１サブフレームはデフォルトのサブフレームであり、第１サブフレームのサブフレーム構造は、デフォルトのサブフレームのサブフレーム構造であり、デフォルトのサブフレームは、ダウンリンクサブフレームもしくはアップリンクサブフレームである、または、ダウンリンク情報が第２の値に対応するとき、第１サブフレームのサブフレーム構造は３つの部分を含み、第１部分はダウンリンク伝送に使用されるシンボルであり、第２部分はガード期間ＧＰであり、第３部分は、アップリンク伝送に使用されるシンボルである。
【０１１０】
第６態様の第２の可能な実装に関連して、第３の可能な実装において、第３部分に対応するシンボル数は５または６である。
【０１１１】
第６態様の第１の可能な実装に関連して、第４の可能な実装において、ダウンリンク情報が第３の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである、または、ダウンリンク情報が第４の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である、または、ダウンリンク情報が第５の値に対応するとき、第１サブフレームのサブフレーム構造は、３つの部分を有し、第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である、または、ダウンリンク情報が第６の値に対応するとき、第１サブフレームのサブフレーム構造は３つの部分を含み、第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【０１１２】
第６態様の第４の可能な実装に関連して、第５の可能な実装において、第１シンボル数は３であり、第２シンボル数は６であり、第３シンボル数は９である。
【０１１３】
第６態様の第１の可能な実装に関連して、第６の可能な実装において、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【０１１４】
第６態様の第６の可能な実装に関連して、第７の可能な実装において、ダウンリンク情報が第７の値に対応するとき、第３部分に対応するシンボル数は第４シンボル数である、または、ダウンリンク情報が第８の値に対応するとき、第３部分に対応するシンボル数は第５シンボル数である、または、ダウンリンク情報が第９の値に対応するとき、第３部分に対応するシンボル数は第６シンボル数である、または、ダウンリンク情報が第１０の値に対応するとき、第３部分に対応するシンボル数は第７シンボル数である。
【０１１５】
第６態様の第７の可能な実装に関連して、第８の可能な実装において、第４シンボル数は１であり、第５シンボル数は２であり、第６シンボル数は４であり第７シンボル数は６である。
【０１１６】
第６態様の第７の可能な実装に関連して、第９の可能な実装において、第４シンボル数、第５シンボル数、第６シンボル数および第７シンボル数は、より高い層のシグナリングを使用することによって構成される。
【０１１７】
第６態様の第２または第３の可能な実装に関連して、第１０の可能な実装において、ダウンリンク情報は、ダウンリンク制御情報フォーマットで搬送され、ダウンリンク情報は２ビットに対応し、第１の値は００であり、第２の値は０１である。
【０１１８】
第６態様の第４または第５の可能な実装に関連して、第１１の可能な実装において、ダウンリンク情報は、ダウンリンク制御情報フォーマットで搬送され、ダウンリンク情報は２ビットに対応し、第３の値は００であり、第４の値は０１であり、第５の値は１０であり、第６の値は１１である。
【０１１９】
第６態様の第６から第９の可能な実装のいずれか１つに関連して、第１２の可能な実装において、ダウンリンク情報はダウンリンク制御情報フォーマットで搬送され、ダウンリンク情報は２ビットに対応し、第７の値は００であり、第８の値は０１であり、第９の値は１０であり、第１０の値は１１である。
【０１２０】
第６態様、または、第６態様の第１から第１２の可能な実装のいずれか１つに関連して、第１３の可能な実装において、ダウンリンク情報は、ダウンリンク制御情報フォーマットで搬送され、ダウンリンク制御情報フォーマットに対応するビットの数は、ダウンリンク制御情報フォーマット１Ｃに対応するビットの数と同一であり、ダウンリンク制御情報フォーマットは、Ｉ個のダウンリンク情報を含み、Ｉ個のダウンリンク情報の各々はＮビットに対応し、
【数１】
2019504554.tif 000013
であり、
【数２】
2019504554.tif 000014
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しく、Ｉ個のダウンリンク情報は、異なるサービングセルに対応し、Ｉ≧１、Ｎ≧１であり、ＩおよびＮは両方とも整数である。
【０１２１】
第６態様、または、第６態様の第１から第１２の可能な実装のいずれか１つに関連して、第１４の可能な実装において、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【０１２２】
第６態様、または、第６態様の第１から第１２の可能な実装のいずれか１つに関連して、第１５の可能な実装において、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【０１２３】
第６態様、または、第６態様の第１から第１３の可能な実装のいずれか１つに関連して、第１６の可能な実装において、ダウンリンク情報は無線フレーム１において搬送され、第１サブフレームは無線フレーム２に属し、無線フレーム１は、１つの無線フレームのみを含み、無線フレーム２は、Ｍ個の連続する無線フレームを含み、Ｍ≧１であり、Ｍは整数である。
【０１２４】
第６態様の第１６の可能な実装に関連して、第１７の可能な実装において、無線フレーム２における１番目の無線フレームは、無線フレーム１の後の１番目の無線フレームである。
【０１２５】
第６態様の第１６の可能な実装に関連して、第１８の可能な実装において、ダウンリンク情報は無線フレーム１におけるＲ個のサブフレームにおいて搬送され、Ｒ個のサブフレームは、無線フレーム１におけるサブフレーム０を含み、Ｒ≧１であり、Ｒは整数である。
【０１２６】
第６態様の第１６の可能な実装に関連して、第１９の可能な実装において、第１サブフレームは、無線フレーム２における各無線フレームにおけるサブフレーム３、サブフレーム４、サブフレーム８またはサブフレーム９のうちの１つまたは複数である。
【０１２７】
第７態様によれば、情報を送信および受信するためのシステムが提供され、当該システムは、第３態様において提供される任意のユーザ機器および第４態様において提供される任意の基地局、または、第５態様において提供される任意のユーザ機器および第６態様において提供される任意の基地局を備える。
【０１２８】
本発明のこの実施形態において提供されている方法、装置およびシステムによれば、ユーザ機器は、基地局によって送信されたダウンリンク情報に従って、第１サブフレームのサブフレーム構造を決定し得て、さらに、第１サブフレームのサブフレーム構造に従って、サービングセルのフレーム構造を決定し、サービングセルの決定されたフレーム構造に従って、サービングセルにおいて情報を伝送し得る。基地局は、動的シグナリングを使用することによって、第１サブフレームのフレーム構造を調整し得る。従って、基地局は、実際のサービス要件に従って、第１サブフレームの使用されているフレーム構造を決定し得る。例えば、低レイテンシサービスの場合、第１サブフレームの決定されたサブフレーム構造は、低レイテンシサービスの要件を満たすことができ、従って、ユーザ機器が、サービングセルの決定されたフレーム構造に従って、サービングセルにおいて情報を伝送するとき、レイテンシを低減でき、ユーザエクスペリエンスを改善できる。
【図面の簡単な説明】
【０１２９】
本発明の実施形態における、または従来技術における技術的解決法をより明確に説明すべく、実施形態または従来技術を説明するために必要な添付図面を以下で簡潔に説明する。以下の説明における添付図面は、本発明の一部の実施形態を示しているに過ぎず、当業者ならば、創造的努力なく、これらの添付図面から他の図面をさらに導き出し得ることは明らかである。
【０１３０】
【図１】本発明の実施形態に係る、情報を送信および受信するための方法のフローチャートである。
【０１３１】
【図２】本発明の実施形態に係る、ある種類の第１サブフレームの構成の模式図である。
【０１３２】
【図３】本発明の実施形態に係る、情報を送信および受信するための別の方法のフローチャートである。
【０１３３】
【図４】本発明の実施形態に係るユーザ機器の構造の模式図である。
【０１３４】
【図５】本発明の実施形態に係るユーザ機器の別の構造の模式図である。
【０１３５】
【図６】本発明の実施形態に係る基地局の構造の模式図である。
【０１３６】
【図７】本発明の実施形態に係る基地局の別の構造体の模式図である。
【発明を実施するための形態】
【０１３７】
本発明の実施形態における添付図面に関連して、本発明の実施形態における技術的解決法を以下で明確かつ完全に説明する。説明される実施形態は、本発明の実施形態のいくつかに過ぎず、すべてではないことは明らかである。当業者によって、創造的努力なく、本発明の実施形態に基づいて取得されるすべての他の実施形態は、本発明の保護範囲に属するものとする。
【０１３８】
本発明の実施形態は、図１に示されるような、情報を送信および受信するための方法を提供する。当該方法は以下の段階を備える。
【０１３９】
１０１：ユーザ機器がダウンリンク情報を受信する。
【０１４０】
本発明のこの実施形態において提供される方法は、ＬＴＥシステムまたはＬＴＥ−Ａｄｖａｎｃｅｄシステムに適用され、例えば、ＬＴＥシステムまたはＬＴＥ−Ａｄｖａｎｃｅｄシステムにおける、単一キャリアのシナリオ、および、キャリアアグリゲーションのシナリオに適用される。
【０１４１】
具体的に、ダウンリンク情報は、基地局によって送信されるダウンリンク情報であり得て、第１サブフレームのサブフレーム構造を示すために使用され、その結果、ユーザ機器は、ダウンリンク情報に従って第１サブフレームのサブフレーム構造を決定する。
【０１４２】
１０２：ユーザ機器が、ダウンリンク情報に従って、第１サブフレームのサブフレーム構造を決定する。
【０１４３】
任意で、ダウンリンク情報が異なる値に対応するとき、第１サブフレームのサブフレーム構造は異なる。
【０１４４】
１０３：ユーザ機器が、第１サブフレームのサブフレーム構造に従って、サービングセル（ｓｅｒｖｉｎｇ  ｃｅｌｌ）のフレーム構造を決定する。
【０１４５】
ユーザ機器はさらに、第１サブフレームのサブフレーム構造に従って、サービングセルのフレーム構造を決定する。例えば、具体的に、ユーザ機器はさらに、サービングセルの無線フレームにおける各サブフレームのサブフレーム構造を決定し得る。
【０１４６】
本発明のすべての実施形態におけるサービングセルは、ユーザ機器のためにネットワーク側デバイスによって構成されているサービングセルであり得るか、または、ユーザ機器にサービスを提供するサービングセルであり得るか、または、ユーザ機器によってアクセスされるサービングセルであり得ることに留意すべきである。本発明のこの実施形態におけるサービングセルは、コンポーネントキャリア（ｃｏｍｐｏｎｅｎｔ  ｃａｒｒｉｅｒ）とも称され得る。本発明のこの実施形態におけるサービングセルは、ユーザ機器のプライマリサービングセル（Ｐｒｉｍａｒｙ  ｓｅｒｖｉｎｇ  ｃｅｌｌ）またはセカンダリサービングセル（Ｓｅｃｏｎｄａｒｙ  ｓｅｒｖｉｎｇ  ｃｅｌｌ）であり得る。
【０１４７】
１０４：ユーザ機器が、サービングセルの決定されたフレーム構造に従って、サービングセルにおいて情報を送信および受信する。
【０１４８】
ユーザ機器が、サービングセルの決定されたフレーム構造に従って、サービングセルにおいて情報を伝送する。ここで、情報伝送は、フレーム構造に基づいて実行されるすべての情報伝送を指し得る。例えば、ダウンリンクは、ＰＤＳＣＨ伝送、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、省略名：ＰＤＣＣＨ）伝送、ＰＨＩＣＨ伝送およびダウンリンク参照信号伝送などを含み得る。アップリンクは、ＰＵＳＣＨ伝送、ＰＵＣＣＨ伝送およびアップリンク参照信号伝送などを含み得る。ＰＤＳＣＨ関連伝送およびＰＵＳＣＨ伝送は通常、具体的なハイブリッド自動再送要求タイミング（ＨＡＲＱタイミング）に従って実行される。
【０１４９】
本発明のこの実施形態において提供されている方法によれば、ユーザ機器は、基地局によって送信されたダウンリンク情報に従って、第１サブフレームのサブフレーム構造を決定し得て、さらに、第１サブフレームのサブフレーム構造に従って、サービングセルのフレーム構造を決定し、サービングセルの決定されたフレーム構造に従って、サービングセルにおいて情報を伝送し得る。基地局は、動的シグナリングを使用することによって、第１サブフレームのフレーム構造を調整し得る。従って、基地局は、実際のサービス要件に従って、第１サブフレームの使用されているフレーム構造を決定し得る。例えば、低レイテンシサービスの場合、第１サブフレームの決定されたサブフレーム構造は、低レイテンシサービスの要件を満たすことができ、従って、ユーザ機器が、サービングセルの決定されたフレーム構造に従って、サービングセルにおいて情報を伝送するとき、レイテンシを低減でき、ユーザエクスペリエンスを改善できる。
【０１５０】
任意で、ダウンリンク情報はダウンリンク制御情報フォーマットで搬送され得る。任意で、以下の例において示される１つのダウンリンク制御情報フォーマットが、本発明のこの実施形態において使用され得る。
【０１５１】
例１：
【０１５２】
ダウンリンク制御情報フォーマットは、ダウンリンク制御情報フォーマット１Ｃである、または、ダウンリンク制御情報フォーマットに対応するビットの数は、ダウンリンク制御情報フォーマット１Ｃに対応するビットの数と同一である。
【０１５３】
任意で、ダウンリンク制御情報フォーマットは、Ｉ個のダウンリンク情報を含み、Ｉ個のダウンリンク情報の各々は、Ｎビットに対応し、Ｉ≧１、Ｎ≧１であり、ＩおよびＮは両方とも整数である。
【０１５４】
任意で、ダウンリンク制御情報フォーマットは、サブフレーム構造指示フィールドを含み、サブフレーム構造指示フィールドは、Ｉ個のダウンリンク情報を含み、Ｉ個のダウンリンク情報の各々はＮビットに対応し、Ｉ≧１、Ｎ≧１であり、ＩおよびＮは両方とも整数である。サブフレーム構造指示フィールドは、アップリンク長指示フィールドとも称され得る。
【０１５５】
任意で、Ｉの値は、
【数１】
2019504554.tif 000015
であり、
【数２】
2019504554.tif 000016
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しい。
【０１５６】
任意で、Ｉの値は１つの無線フレームにおける第１サブフレームの数に等しい。さらに、Ｉ個のダウンリンク情報は、それぞれの番号を有し、Ｉ個のダウンリンク情報の番号は、無線フレームの第１サブフレームと１対１の対応関係にある。例えば、番号０のダウンリンク情報は、１つの無線フレームにおける第１の第１サブフレームに対応し、番号１のダウンリンク情報は、無線フレームにおける第２の第１サブフレームに対応する。
【０１５７】
任意で、Ｉ個のダウンリンク情報は、異なるサービングセルに対応し得る。さらに、サービングセルに対応するダウンリンク情報の数は、より高い層のシグナリングを使用することによって構成され得る。具体的に、１個のダウンリンク情報は、１つのサービングセルに対応し得る、または、１個のダウンリンク情報は、複数のサービングセルに対応し得る。これは、本発明の実施形態において、限定されるものではない。
【０１５８】
任意で、Ｉ個のダウンリンク情報が、複数の異なる第１サブフレームに対応し、または、Ｉ個のダウンリンク情報のうちのいくつかが、同一のサービングセルの複数の異なる第１サブフレームに対応する。
【０１５９】
任意で、ダウンリンク制御情報フォーマットがサブフレーム構造を示すために使用されるとき、または、ダウンリンク制御情報フォーマットがアップリンク長を示すために使用されるとき、ダウンリンク制御情報フォーマットは、以下の情報を含む。
【０１６０】
‐アップリンク長の指示：
【０１６１】
ダウンリンク情報１、ダウンリンク情報２、...、ダウンリンク情報Ｇ
【０１６２】
また、ダウンリンク情報は、アップリンク長の番号によって置き換えられ得る。ダウンリンク情報の各々は、Ｎビットに対応し、
【数３】
2019504554.tif 000017
であり、
【数４】
2019504554.tif 000018
は、ダウンリンク制御情報フォーマットに対応するビットの数であり、Ｇ≧１であり、Ｇは整数である。
【０１６３】
任意で、この例において、ダウンリンク制御情報フォーマットは、特定の無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、省略名：ＲＮＴＩ）を使用することによってスクランブル処理され得る。特定のＲＮＴＩは、サブフレーム構造を示すためにダウンリンク制御情報フォーマットが使用されることを識別するために使用され得る。
【０１６４】
任意で、この例において、ダウンリンク制御情報フォーマットは、物理ダウンリンク制御チャネル上で、または、拡張型物理ダウンリンク制御チャネル上で搬送され得る。さらに、ダウンリンク制御情報フォーマットは、ダウンリンク制御チャネルの共通検索空間において搬送される。
【０１６５】
任意で、この例において、ダウンリンク情報は、無線フレーム１において搬送され得て、第１サブフレームは、無線フレーム２に属する。さらに、無線フレーム１は、１つの無線フレームのみを含み得て、無線フレーム２は、Ｍ個の連続する無線フレームを含み得て、Ｍ≧１であり、Ｍは整数である。Ｍの値は、予め定義されるか、半静的に構成されているか、または、動的に示され得る。Ｍの値が動的に示されるとき、Ｍの値を示すために使用される指示情報は、ダウンリンク制御情報フォーマットでも搬送され得る。さらに、無線フレーム２における１番目の無線フレームは、無線フレーム１の後の１番目の無線フレームである、または、無線フレーム２における１番目の無線フレームは、無線フレーム１であり得る。さらに、ダウンリンク情報は、無線フレーム１におけるＲ個のサブフレームにおいて搬送され、Ｒ個のサブフレームは、無線フレーム１におけるサブフレーム０を含み、Ｒ≧１であり、Ｒは整数である。
【０１６６】
任意で、第１サブフレームは、無線フレーム２における各無線フレームにおけるサブフレーム３、サブフレーム４、サブフレーム８またはサブフレーム９のうちの１つまたは複数である。
【０１６７】
任意で、第１サブフレームのサブフレーム構造は、ダウンリンク情報の値を使用することによって示され得る。
【０１６８】
この例において、無線フレーム１において搬送されるダウンリンク情報は、無線フレーム２における第１サブフレームのサブフレーム構造を示す。サービングセルのフレーム構造は、動的に変更され得て、その結果、サービングセルのフレーム構造は実際のサービス要件を満たす。
【０１６９】
この例において、Ｒの値は、１より大きいことがあり得る。この場合、ダウンリンク情報は、複数のサブフレームにおいて伝送され、ダウンリンク情報の伝送性能をさらに改善できる。
【０１７０】
例２：
【０１７１】
ダウンリンク制御情報フォーマットは、ＰＤＳＣＨをスケジューリングするために使用され、第１サブフレームは、ＰＤＳＣＨを伝送するためのサブフレームである。
【０１７２】
任意で、ダウンリンク情報は、ダウンリンク制御情報フォーマットで搬送され、ダウンリンク制御情報フォーマットは、ＰＤＳＣＨをスケジューリングするために使用され、第１サブフレームは、ＰＤＳＣＨに対応するＨＡＲＱ−ＡＣＫ情報を伝送するためのサブフレームである。
【０１７３】
この例において、ＰＤＳＣＨのダウンリンク制御情報フォーマットは、ＰＤＳＣＨに対応するＰＤＳＣＨおよび／またはＨＡＲＱ−ＡＣＫを伝送するためのサブフレームのサブフレーム構造を示すためにスケジューリングされる。第１サブフレームのサブフレーム構造は、ダウンリンク情報を使用することによって動的に示され得る。従って、サブフレーム構造は、実際のサービスに従って調整され得て、サービングセルのフレーム構造は、実際のサービス要件に適合できる。
【０１７４】
例３：
【０１７５】
ダウンリンク制御情報フォーマットは、ＰＵＳＣＨをスケジューリングするために使用され、第１サブフレームは、ＰＵＳＣＨを伝送するためのサブフレームである。
【０１７６】
任意で、ダウンリンク情報は、ダウンリンク制御情報フォーマットで搬送され、ダウンリンク制御情報フォーマットは、ＰＵＳＣＨをスケジューリングするために使用され、第１サブフレームは、ＰＵＳＣＨに対応するＨＡＲＱ−ＡＣＫ情報を伝送するためのサブフレームである。
【０１７７】
この例において、ＰＵＳＣＨのダウンリンク制御情報フォーマットは、ＰＵＳＣＨおよび／またはＰＵＳＣＨに対応するＨＡＲＱ−ＡＣＫを伝送するためのサブフレームのサブフレーム構造を示すためにスケジューリングされ、その結果、サービングセルのフレーム構造は、実際のサービス要件に適合できる。
【０１７８】
具体的に、ダウンリンク情報に対応する値と、第１サブフレームのサブフレーム構造との間の対応関係は、以下の４つの例のいずれか１つに記載されている対応関係であり得る。
【０１７９】
例１：
【０１８０】
ダウンリンク情報が第１の値に対応するとき、第１サブフレームはデフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０１８１】
ダウンリンク情報が第２の値に対応するとき、第１サブフレームのサブフレーム構造は３つの部分を含む。第１部分はダウンリンク伝送に使用されるシンボルであり、第２部分はガード期間（Ｇｕａｒｄ  Ｐｅｒｉｏｄ、省略名：ＧＰ）であり、第３部分はアップリンク伝送に使用されるシンボルである。
【０１８２】
具体的に、ダウンリンク情報は、２ビットに対応し得る。この場合、第１の値は００であり得て、第２の値は０１であり得る、または、第１の値は１０であり、第２の値は１１である。ダウンリンク情報は、１ビットに対応し得る。この場合、第１の値は０（または１）であり得て、第２の値は１（または０）であり得る。
【０１８３】
ダウンリンク情報が第１の値に対応するとき、第１サブフレームはデフォルトのサブフレームである。デフォルトのサブフレームは、ダウンリンクサブフレームであり得る、すなわち、デフォルトのサブフレームにおけるすべてのシンボルはダウンリンク伝送に使用される。デフォルトのサブフレームは、アップリンクサブフレームであり得る、すなわち、デフォルトのサブフレームにおけるすべてのシンボルは、アップリンク伝送に使用される。デフォルトのサブフレームのサブフレーム構造は、予め定義されたサブフレーム構造であり得る。
【０１８４】
具体的に、第１サブフレームがデフォルトのサブフレームであると決定された後、アップリンク−ダウンリンク構成に従って、デフォルトのサブフレームがアップリンクサブフレームであるか、または、ダウンリンクサブフレームであるかがさらに決定され得る。
【０１８５】
ダウンリンク情報が第２の値に対応するとき、任意で、第３部分のシンボル数は５または６であり得る。図２に示されるように、図２は、ある種類の第１サブフレームを示す。第１サブフレームの第３部分のシンボル数は６であり、第２部分のシンボル数は１である。第１部分のシンボル数は、第１サブフレームの合計シンボル数から第３部分のシンボル数を引いて、第２部分のシンボル数を引いた数に等しい。代替的に、第１サブフレームの第２部分は、複数のシンボルを含み得る。第２部分が１つのシンボルを含む例が、本発明のこの実施形態において説明される。
【０１８６】
任意で、第３部分のシンボル数は、より高い層のシグナリングを使用することによって構成され得るか、または、予め定義され得る。
【０１８７】
ダウンリンク情報が第２の値に対応するとき、第１サブフレームに対応するサブフレーム構造は、新サブフレーム構造タイプ１と称され得る。新サブフレーム構造タイプ１は、ダウンリンク伝送に使用されるシンボル、および、アップリンク伝送に使用されるシンボルの両方を含み、その結果、ダウンリンク伝送またはアップリンク伝送についての伝送機会をより迅速に獲得でき、ユーザプレーン遅延を低減できる。一方、第３部分のシンボル数が５または６であるとき、新サブフレーム構造タイプ１において、第１部分および第３部分によって占有されるシンボル数は、半分のサブフレームに対応する長さに概ね等しい。ダウンリンクデータ伝送が第１部分において実行される、または、アップリンクデータ伝送が第３部分において実行される場合、短伝送時間間隔（Ｔｒａｎｓｍｉｓｓｉｏｎ  Ｔｉｍｅ  Ｉｎｔｅｒｖａｌ、省略名：ＴＴＩ）伝送を実装できる。短ＴＴＩ伝送により、データ処理時間およびユーザプレーン遅延を低減できる。
【０１８８】
この例において、基地局は、ダウンリンク情報を使用することによって、第１サブフレームのサブフレーム構造をユーザ機器に示し、その結果、ユーザ機器は、デフォルトのサブフレームのサブフレーム構造、または、新サブフレーム構造タイプ１を使用することによって、情報を伝送できる。デフォルトのサブフレームがダウンリンクサブフレームである場合、アップリンク低レイテンシサービスがあると基地局が決定したとき、基地局はダウンリンク情報を使用することによって、ユーザ機器に対し、新サブフレーム構造タイプ１を使用することによってデータを伝送するように命令し得る。従って、アップリンク低レイテンシサービスのための伝送機会を迅速に獲得でき、短ＴＴＩ伝送が使用されるのでユーザプレーン遅延を低減できる。上記を考慮すると、基地局およびユーザ機器は、実際のサービス要件に従ってサービングセルのフレーム構造を決定でき、低レイテンシサービスを提供できる。
【０１８９】
本発明のすべての実施形態において、第１サブフレームに含まれる３つの部分のシンボル数の比率は、限定されないことに留意すべきである。
【０１９０】
例２：
【０１９１】
ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０１９２】
ダウンリンク情報が第４の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第３部分に対応するシンボル数は第１シンボル数である。
【０１９３】
ダウンリンク情報が第５の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第３部分に対応するシンボル数は第２シンボル数である。
【０１９４】
ダウンリンク情報が第６の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第３部分に対応するシンボル数は第３シンボル数である。
【０１９５】
ダウンリンク情報は、ダウンリンク制御情報フォーマットで搬送され得る。ダウンリンク情報は、２ビットに対応し得る。この場合、第３の値は００であり得て、第４の値は０１であり得て、第５の値は１０であり、第６の値は１１であり得る。
【０１９６】
ダウンリンク情報が第６の値に対応するとき、第６の値は意味をもたず、予約ビットであることに留意すべきである。
【０１９７】
任意で、第１シンボル数は３であり、第２シンボル数は６であり、第３シンボル数は９である。
【０１９８】
任意で、第１シンボル数、第２シンボル数および第３シンボル数は、より高い層のシグナリングを使用することによって構成され得るか、または、予め定義され得る。
【０１９９】
ダウンリンク情報が第３の値に対応するとき、第１サブフレームはデフォルトのサブフレームである。デフォルトのサブフレームは、ダウンリンクサブフレームであり得る、すなわち、デフォルトのサブフレームにおけるすべてのシンボルはダウンリンク伝送に使用される。デフォルトのサブフレームは、アップリンクサブフレームであり得る、すなわち、デフォルトのサブフレームにおけるすべてのシンボルは、アップリンク伝送に使用される。デフォルトのサブフレームのサブフレーム構造は、予め定義されたサブフレーム構造であり得る。
【０２００】
この例において、第１サブフレームがデフォルトのサブフレームであると決定された後、アップリンク−ダウンリンク構成に従って、デフォルトのサブフレームがアップリンクサブフレームであるか、または、ダウンリンクサブフレームであるかがさらに決定され得る。
【０２０１】
具体的に、ダウンリンク情報が第４の値、第５の値または第６の値に対応するとき、第１サブフレームに対応するサブフレーム構造は、新サブフレーム構造タイプ２と称され得る。新サブフレーム構造タイプ２は、ダウンリンク伝送に使用されるシンボル、および、アップリンク伝送に使用されるシンボルの両方を含み、その結果、ダウンリンク伝送またはアップリンク伝送についての伝送機会をより迅速に獲得でき、ユーザプレーン遅延を低減できる。一方、第４の値、第５の値および第６の値は、第３部分のシンボルの異なる数に対応し、その結果、第１サブフレームにおけるアップリンク伝送長は、実際のサービス要件に従って変化し得て、実際のサービス要件とより良好に適合する。短ＴＴＩ伝送を実装でき、データ処理時間およびユーザプレーン遅延を低減できる。加えて、スペクトル利用効率を向上できる。
【０２０２】
具体的に、第１サブフレームの第２部分は１つのシンボルを含み得る。第１部分のシンボル数は、第１サブフレームの合計シンボル数から、第３部分のシンボル数を引いて、第２部分のシンボル数を引いた数に等しい。
【０２０３】
この例において、基地局は、ダウンリンク情報を使用することによって、第１サブフレームのサブフレーム構造をユーザ機器に示し、その結果、ユーザ機器は、デフォルトのサブフレームのサブフレーム構造、または、新サブフレーム構造タイプ２を使用することによって、情報を伝送できる。デフォルトのサブフレームがダウンリンクサブフレームである場合、アップリンク低レイテンシサービスがあると基地局が決定したとき、基地局はダウンリンク情報を使用することによって、ユーザ機器に対し、新サブフレーム構造タイプ２を使用することによってデータを伝送するように命令し得る。従って、アップリンク低レイテンシサービスのための伝送機会を迅速に獲得でき、短ＴＴＩ伝送が使用されるのでユーザプレーン遅延を低減できる。上記を考慮すると、基地局およびユーザ機器は、実際のサービス要件に従ってサービングセルのフレーム構造を決定でき、低レイテンシサービスをユーザに提供できる。加えて、アップリンクサービスを伝送するためのアップリンク低レイテンシサービス要件に従って、異なるＴＴＩ長が設定され得て、これにより、スペクトル効率が改善される。
【０２０４】
上述の説明において、ダウンリンク情報に対応する異なる値は、第３部分のシンボル数に対応することに留意すべきである。任意で、ダウンリンク情報に対応する異なる値は、第１部分のシンボル数に対応し得る。この場合、第３部分のシンボル数は、第１サブフレームの合計シンボル数から、第１部分のシンボル数を引き、第２部分のシンボル数を引いた数に等しい。具体的には以下の通りである。
【０２０５】
ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２０６】
ダウンリンク情報が第４の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第１部分に対応するシンボル数は第１シンボル数である。
【０２０７】
ダウンリンク情報が第５の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第１部分に対応するシンボル数は第２シンボル数である。
【０２０８】
ダウンリンク情報が第６の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第１部分に対応するシンボル数は第３シンボル数である。
【０２０９】
ダウンリンク情報が第６の値に対応するとき、第６の値は意味をもたず、予約ビットであることに留意すべきである。
【０２１０】
他の記載および関連する有利な効果は、ダウンリンク情報に対応する異なる値が第３部分のシンボル数に対応する場合と同様であり、詳細は再度ここで説明しない。
【０２１１】
例３：
【０２１２】
第１サブフレームのサブフレーム構造は、３つの部分を含む。第１部分はダウンリンク伝送に使用されるシンボルであり、第２部分はガード期間であり、第３部分はアップリンク伝送に使用されるシンボルである。具体的には以下の通りである。
【０２１３】
ダウンリンク情報が第７の値に対応するとき、第３部分に対応するシンボル数は第４シンボル数である。
【０２１４】
ダウンリンク情報が第８の値に対応するとき、第３部分に対応するシンボル数は第５シンボル数である。
【０２１５】
ダウンリンク情報が第９の値に対応するとき、第３部分に対応するシンボル数は第６シンボル数である。ダウンリンク情報が第１０の値に対応するとき、第３部分に対応するシンボル数は第７シンボル数である。
【０２１６】
任意で、第４シンボル数は１、第５シンボル数は２、第６シンボル数は４、第７シンボル数は６である。
【０２１７】
具体的に、ダウンリンク情報は、２ビットに対応し得る。この場合、第７の値は００であり得て、第８の値は０１であり得て、第９の値は１０であり得て、第１０の値は１１であり得る。
【０２１８】
任意で、第４シンボル数、第５シンボル数、第６シンボル数および第７シンボル数は、より高い層のシグナリングを使用することによって構成され得るか、または、予め定義され得る。
【０２１９】
具体的に、第１サブフレームの第２部分は１つのシンボルを含み得る。第１部分のシンボル数は、第１サブフレームの合計シンボル数から、第３部分のシンボル数を引いて、第２部分のシンボル数を引いた数に等しい。
【０２２０】
この例において、ダウンリンク情報が第７の値、第８の値、第９の値または第１０の値に対応するとき、第３部分のシンボル数は異なる。ダウンリンク情報が第７の値に対応するとき、典型的な適用シナリオは、ＬＴＥシステムが短ＴＴＩサービス伝送要件をもたず、第３部分を使用することによって、アップリンク制御情報を迅速にフィードバックできることであり得る。システムのスペクトル効率が改善され、短いＨＡＲＱ  ＲＴＴが保証され、ユーザプレーン遅延が低減される。ダウンリンク情報が第８の値に対応するとき、典型的な適用シナリオは、ＬＴＥシステムがダウンリンク短ＴＴＩサービス伝送要件を有することであり得る。第３部分を使用してアップリンク制御情報をフィードバックすることは、ＨＡＲＱ−ＡＣＫのより多くのビットをフィードバックすることであり得る。例えば、短ＴＴＩ伝送を使用する２つのＰＤＳＣＨに対応するＨＡＲＱ−ＡＣＫがフィードバックされ得て、その結果、サービングセルは、短ＴＴＩのＰＤＳＣＨ伝送を可能にすることができる。ダウンリンクのユーザプレーン遅延を低減でき、ダウンリンク低レイテンシサービスを提供できる。ダウンリンク情報が第９の値および第１０の値に対応するとき、典型的な適用シナリオは、ＬＴＥシステムがアップリンク短ＴＴＩサービス要件を有することである。この場合、第３部分を使用することによってアップリンク伝送が実行され、その結果、アップリンク伝送についての伝送機会を迅速に獲得でき、ユーザプレーン遅延を低減できる。加えて、第９の値または第１０の値に対応する第１サブフレームが、データを伝送するためのアップリンク短ＴＴＩサービス要件に従って選択され得る。使用される第１サブフレームは、実際のサービス要件に従って決定され得て、その結果、短ＴＴＩ伝送を可能にでき、データ処理時間を低減でき、ユーザプレーン遅延を低減でき、実際のサービス要件により良好に適合でき、スペクトル利用効率を向上できる。
【０２２１】
上述の説明において、ダウンリンク情報に対応する異なる値は、第３部分のシンボル数に対応することに留意すべきである。任意で、ダウンリンク情報に対応する異なる値は、第１部分のシンボル数に対応し得る。この場合、第３部分に対応するシンボル数は、第１サブフレームの合計シンボル数から、第１部分に対応するシンボル数を引き、第２部分に対応するシンボル数を引いた数に等しい。具体的には以下の通りである。
【０２２２】
ダウンリンク情報が第７の値に対応するとき、第１部分に対応するシンボル数は第４シンボル数である。
【０２２３】
ダウンリンク情報が第８の値に対応するとき、第１部分に対応するシンボル数は第５シンボル数である。
【０２２４】
ダウンリンク情報が第９の値に対応するとき、第１部分に対応するシンボル数は、第６シンボル数である。
【０２２５】
ダウンリンク情報が第１０の値に対応するとき、第１部分に対応するシンボル数は第７シンボル数である。
【０２２６】
他の記載および関連する有利な効果は、ダウンリンク情報に対応する異なる値が第３部分のシンボル数に対応する場合と同様であり、詳細は再度ここで説明しない。
【０２２７】
例４：
【０２２８】
ダウンリンク情報が第１１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２２９】
ダウンリンク情報が第１２の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルである。
【０２３０】
具体的に、ダウンリンク情報は、ダウンリンク制御情報フォーマットで搬送され得る。ダウンリンク情報は、２ビットに対応し得る。この場合、第１１の値は００であり得て、第１２の値は０１であり得て、または、第１１の値は１０であり、第１２の値は１１である。加えて、ダウンリンク情報は、１ビットに対応し得る。この場合、第１１の値は０（または１）であり得て、第１２の値は１（または０）であり得る。
【０２３１】
デフォルトのサブフレームは、ダウンリンクサブフレームであり得る、すなわち、デフォルトのサブフレームにおけるすべてのシンボルはダウンリンク伝送に使用される。デフォルトのサブフレームは、アップリンクサブフレームであり得る、すなわち、デフォルトのサブフレームにおけるすべてのシンボルは、アップリンク伝送に使用される。デフォルトのサブフレームは、第１特殊サブフレームであり得る。第１特殊サブフレームは３つの部分を含む。第１部分はダウンリンク伝送に使用されるシンボルであり、第２部分はガード期間であり、第３部分はアップリンク制御情報および／またはサウンディング基準信号（Ｓｏｕｎｄｉｎｇ  Ｒｅｆｅｒｅｎｃｅ  Ｓｉｇｎａｌ、省略名：ＳＲＳ）伝送に使用されるシンボルである。第３部分のシンボル数、および、第２部分のシンボル数は両方とも１であり得る。デフォルトのサブフレームのサブフレーム構造は、予め定義されたサブフレーム構造であり得る。
【０２３２】
具体的に、第１サブフレームがデフォルトのサブフレームであると決定された後、アップリンク−ダウンリンク構成に従って、デフォルトのサブフレームがアップリンクサブフレームであるか、または、ダウンリンクサブフレームであるかがさらに決定され得る。
【０２３３】
例えば、第３部分のシンボル数は、２、５または６であり得て、第２部分のシンボル数は１であり得て、第１部分のシンボル数は、第１サブフレームの合計シンボル数から、第３部分のシンボル数を引いて、第２部分のシンボル数を引いた数に等しいことがあり得る。
【０２３４】
第３部分のシンボル数が２であるとき、第３部分は、アップリンク制御情報の伝送に使用され得る。アップリンク制御情報はアップリンク制御チャネル上で搬送され、アップリンク制御チャネルは２つのシンボルを占有する。任意で、アップリンク制御情報がＨＡＲＱ−ＡＣＫであるとき、ＨＡＲＱ−ＡＣＫは、短ＴＴＩ伝送を使用する少なくとも２つのＰＤＳＣＨに対応し得る。
【０２３５】
ダウンリンク情報が第１２の値に対応するとき、第１サブフレームに対応するサブフレーム構造は、新サブフレーム構造タイプ３と称され得る。第３部分に対応するシンボル数が５または６であるとき、新サブフレーム構造タイプ３は、ダウンリンク伝送に使用されるシンボル、および、アップリンク伝送に使用されるシンボルの両方を含み、その結果、ダウンリンク伝送またはアップリンク伝送についての伝送機会をより迅速に獲得でき、ユーザプレーン遅延を低減できる。一方、新サブフレーム構造タイプ３において、第１部分および第３部分によって占有されるシンボル数は、半分のサブフレームに対応する長さに概ね等しい。ダウンリンクデータ伝送が第１部分において実行される、または、アップリンクデータ伝送が第３部分において実行される場合、短ＴＴＩ伝送を実装できる。短ＴＴＩ伝送により、データ処理時間およびユーザプレーン遅延を低減できる。
【０２３６】
この場合、基地局は、ダウンリンク情報を使用して第１サブフレームのサブフレーム構造をユーザ機器に示し得て、その結果、ユーザ機器は、デフォルトのサブフレームのサブフレーム構造、または、新サブフレーム構造タイプ３を使用することによって、情報を送信および受信でき、基地局は、実際のサービス要件に従って、サービングセルのフレーム構造を決定し得る。例えば、デフォルトのサブフレームがダウンリンクサブフレームである場合、ＬＴＥシステムがアップリンク低レイテンシサービスを有するとき、基地局は、ダウンリンク情報を使用することによって、ユーザ機器に対し、新サブフレーム構造タイプ３を使用して情報を送信よび受信するように命令し得る。このようにして、アップリンク低レイテンシサービスのための伝送機会を迅速に獲得でき、短ＴＴＩ伝送が使用されるので、ユーザプレーン遅延を低減できる。
【０２３７】
この例において、第１サブフレームの概念を導入することによって、ダウンリンク伝送に使用されるサブフレームを使用してＨＡＲＱ−ＡＣＫをフィードバックできる。従って、ＨＡＲＱ  ＲＴＴを改善でき、ユーザプレーン遅延を低減できる。加えて、ＨＡＲＱ−ＡＣＫを迅速にフィードバックできるので、ＬＴＥシステムは、フィードバックされたＨＡＲＱ−ＡＣＫに従って、スケジューリングアルゴリズムを調整してスペクトル効率を改善できる。一方、第１サブフレームの第３部分のシンボル数が２であるとき、第３部分を使用してアップリンク制御情報をフィードバックすることにより、ＨＡＲＱ−ＡＣＫのより多くのビットをフィードバックし得て（例えば、短ＴＴＩ伝送を使用する２つのＰＤＳＣＨに対応するＨＡＲＱ−ＡＣＫがフィードバックされ得る）、その結果、サービングセルにおいて短ＴＴＩのＰＤＳＣＨ伝送を実行できる。ダウンリンクのユーザプレーン遅延を低減でき、ダウンリンクの低レイテンシサービスを提供できる。加えて、基地局はダウンリンク情報をユーザ機器へ送信し、その結果、ユーザ機器は、第１特殊サブフレームまたは新サブフレーム構造タイプ３を使用することによって情報を送信および受信し得る。実際のサービスが低レイテンシ要件を有さないとき、ユーザ機器および基地局は、第１特殊サブフレームを使用することによって情報を送信および受信し得る。実際のサービスが低レイテンシ要件を有するとき、ユーザ機器および基地局は、新サブフレーム構造タイプ３を使用することによって情報を送信および受信し得る。従って、第１サブフレームにおいて、アップリンク制御チャネルを伝送するために使用されるシンボル数は、ダウンリンク低レイテンシサービス要件があるかどうかに従って決定でき、アップリンク制御情報の性能を保証しつつ、リソースを無駄にしない。
【０２３８】
上述の実施形態において、ユーザ機器が第１サブフレームにおいてＰＵＣＣＨを送信する必要があり、かつ、第１サブフレームの第３部分がまた、アップリンクデータ伝送に使用され得るとき、ＰＵＣＣＨによって占有されるシンボル数は、第３部分のシンボル数と整合し得るか、または、固定値であり得ることに留意すべきである。例えば、ＰＵＣＣＨは、１つのシンボルまたは２つのシンボルを恒久的に占有する。
【０２３９】
本発明のすべての実施形態におけるシンボルは、単一キャリア周波数分割多重接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、省略名：ＳＣ−ＦＤＭＡ）シンボルであり得るか、または、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、省略名：ＯＦＤＭ）シンボルであり得ることに留意すべきである。本発明のすべての実施形態において、１つのシンボルの長さは、有効なシンボルの長さおよび巡回プレフィックスの和を含む。
【０２４０】
本発明の実施形態は、図３に示される情報を送信および受信するための方法をさらに提供する。当該方法は以下の段階を備える。
【０２４１】
３０１：基地局が第１サブフレームのサブフレーム構造を決定し、ダウンリンク情報をユーザ機器へ送信する。
【０２４２】
具体的に、ダウンリンク情報は、第１サブフレームのサブフレーム構造をダウンリンク情報に従って決定するようにユーザ機器に命令するために使用される。
【０２４３】
任意で、ダウンリンク情報は、ダウンリンク制御情報フォーマットで搬送され得る。ダウンリンク制御情報フォーマットは、上述の例１から３のいずれか１つにおけるダウンリンク制御情報フォーマットであり得る。詳細については、上述の説明を参照されたい。詳細はここでは再度説明されない。
【０２４４】
３０２：基地局が、第１サブフレームのサブフレーム構造に従って、ユーザ機器のサービングセルのフレーム構造を決定する。
【０２４５】
基地局がさらに、第１サブフレームの決定されたサブフレーム構造に従って、サービングセルのフレーム構造を決定する。例えば、具体的に、ユーザ機器はさらに、サービングセルの無線フレームにおける各サブフレームのサブフレーム構造を決定し得る。ユーザ機器および基地局が同一の方法を使用して、第１サブフレームのサブフレーム構造に従ってサービングセルのフレーム構造を決定すること、すなわち、第１サブフレームのサブフレーム構造に従ってユーザ機器によって決定されたサービングセルのフレーム構造は、基地局によって決定されたものと同一であることに留意すべきである。
【０２４６】
３０３：基地局が、サービングセルの決定されたフレーム構造に従って、サービングセルにおいてユーザ機器へ情報を送信し、サービングセルの決定されたフレーム構造に従って、ユーザ機器によって送信された情報をサービングセルにおいて受信する。
【０２４７】
基地局が、サービングセルの決定されたフレーム構造に従って、サービングセルにおいて情報を伝送することは、具体的には、情報をユーザ機器へ送信し、ユーザ機器によって送信された情報を受信することであり得る。ここで、情報伝送は、フレーム構造に基づいて実行されるすべての情報伝送を指し得る。例えば、ダウンリンクは、ＰＤＳＣＨ伝送、ＰＤＣＣＨ伝送、ＰＨＩＣＨ伝送およびダウンリンク参照信号伝送などを含み得る。アップリンクは、ＰＵＳＣＨ伝送、ＰＵＣＣＨ伝送、アップリンク参照信号伝送などを含み得る。
【０２４８】
基地局が第１サブフレームにおいて、ユーザ機器によって送信されたＰＵＣＣＨを受信する必要があり、かつ、第１サブフレームの第３部分がまた、アップリンクデータ伝送のために使用され得るとき、ＰＵＣＣＨによって占有されるシンボル数は、第３部分のシンボル数と整合し得るか、または、固定値であり得る。例えば、ＰＵＣＣＨは、恒久的に１つのシンボルまたは２つのシンボルを占有する。
【０２４９】
本発明のこの実施形態において提供される方法によれば、基地局は、第１サブフレームのサブフレーム構造を決定した後に、ダウンリンク情報をユーザ機器へ送信し、ユーザ機器が第１サブフレームのサブフレーム構造を決定することを可能にする。基地局およびユーザ機器はさらに、第１サブフレームのサブフレーム構造に従って、サービングセルのフレーム構造を決定し、サービングセルの決定されたフレーム構造に従って、サービングセルにおいて情報を伝送する。基地局は、動的シグナリングを使用することによって、第１サブフレームのフレーム構造を調整し得る。従って、基地局は、実際のサービス要件に従って、第１サブフレームの使用されているフレーム構造を決定し得る。例えば、低レイテンシサービスの場合、第１サブフレームの決定されたサブフレーム構造は、低レイテンシサービスの要件を満たすことができ、従って、ユーザエクスペリエンスを改善できる。
【０２５０】
任意で、ダウンリンク情報が異なる値に対応するとき、第１サブフレームのサブフレーム構造は異なる。具体的に、ダウンリンク情報に対応する値と、第１サブフレームとの間の対応関係は、以下の４つの例のいずれか１つにおいて説明される対応関係であり得る。
【０２５１】
例１：
【０２５２】
ダウンリンク情報が第１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２５３】
ダウンリンク情報が第２の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルである。
【０２５４】
具体的に、ダウンリンク情報は、２ビットに対応し得る。この場合、第１の値は００であり得て、第２の値は０１であり得る、または、第１の値は１０であり、第２の値は１１である。ダウンリンク情報は、１ビットに対応し得る。この場合、第１の値は０（または１）であり得て、第２の値は１（または０）であり得る。
【０２５５】
任意で、第３部分に対応するシンボル数は５または６である。
【０２５６】
例１の他の記載については、上述の実施形態における例１を参照されたい。詳細はここでは再度説明されない。
【０２５７】
例２：
【０２５８】
ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２５９】
ダウンリンク情報が第４の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第３部分に対応するシンボル数は第１シンボル数である。
【０２６０】
ダウンリンク情報が第５の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第３部分に対応するシンボル数は第２シンボル数である。
【０２６１】
ダウンリンク情報が第６の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルであり、第３部分に対応するシンボル数は第３シンボル数である。
【０２６２】
ダウンリンク情報は、ダウンリンク制御情報フォーマットで搬送され得る。ダウンリンク情報は、２ビットに対応し得る。この場合、第３の値は００であり得て、第４の値は０１であり得て、第５の値は１０であり、第６の値は１１であり得る。
【０２６３】
任意で、第１シンボル数は３であり、第２シンボル数は６であり、第３シンボル数は９である。
【０２６４】
例２の他の記載については、上述の実施形態における例２を参照されたい。詳細はここでは再度説明されない。
【０２６５】
例３：
【０２６６】
第１サブフレームのサブフレーム構造は３つの部分を含む。第１部分はダウンリンク伝送に使用されるシンボルであり、第２部分はガード期間であり、第３部分はアップリンク伝送に使用されるシンボルである。具体的には以下の通りである。
【０２６７】
ダウンリンク情報が第７の値に対応するとき、第３部分に対応するシンボル数は第４シンボル数である。
【０２６８】
ダウンリンク情報が第８の値に対応するとき、第３部分に対応するシンボル数は第５シンボル数である。
【０２６９】
ダウンリンク情報が第９の値に対応するとき、第３部分に対応するシンボル数は第６シンボル数である。
【０２７０】
ダウンリンク情報が第１０の値に対応するとき、第３部分に対応するシンボル数は第７シンボル数である。
【０２７１】
任意で、第４シンボル数は１、第５シンボル数は２、第６シンボル数は４、第７シンボル数は６である。
【０２７２】
具体的に、ダウンリンク情報は、２ビットに対応し得る。この場合、第７の値は００であり得て、第８の値は０１であり得て、第９の値は１０であり得て、第１０の値は１１であり得る。
【０２７３】
例３の他の記載については、上述の実施形態における例３を参照されたい。詳細はここでは再度説明されない。
【０２７４】
例４：
【０２７５】
ダウンリンク情報が第１１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２７６】
ダウンリンク情報が第１２の値に対応するとき、第１サブフレームのサブフレーム構造は３つの部分を含む。第１部分はダウンリンク伝送に使用されるシンボルであり、第２部分はガード期間であり、第３部分はアップリンク伝送に使用されるシンボルである。
【０２７７】
具体的に、ダウンリンク情報は、ダウンリンク制御情報フォーマットで搬送され得る。ダウンリンク情報は、２ビットに対応し得る。この場合、第１１の値は００であり得て、第１２の値は０１であり得る、または、第１１の値は１０であり、第１２の値は１１である。加えて、ダウンリンク情報は、１ビットに対応し得る。この場合、第１１の値は０（または１）であり得て、第１２の値は１（または０）であり得る。
【０２７８】
任意で、第３部分のシンボル数は、２、５または６であり得る。
【０２７９】
例４の他の記載については、上述の実施形態における例４を参照されたい。詳細はここでは再度説明されない。
【０２８０】
本発明の実施形態はさらに、上述した方法を実行するように構成されているユーザ機器４０を提供する。図４に示されるように、ユーザ機器４０は、ダウンリンク情報を受信するように構成されている送受信ユニット４０１と、ダウンリンク情報に従って第１サブフレームのサブフレーム構造を決定し、第１サブフレームのサブフレーム構造に従って、サービングセルのフレーム構造を決定するように構成されている決定ユニット４０２とを備える。
【０２８１】
送受信ユニット４０１はさらに、サービングセルの決定されたフレーム構造に従って、サービングセルにおいて情報を送信および受信するように構成されている。
【０２８２】
任意で、ダウンリンク情報が異なる値に対応するとき、第１サブフレームのサブフレーム構造は異なる。
【０２８３】
任意で、ダウンリンク情報が第１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２８４】
ダウンリンク情報が第２の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルである。
【０２８５】
任意で、第３部分に対応するシンボル数は５または６である。
【０２８６】
任意で、ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０２８７】
ダウンリンク情報が第４の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である。
【０２８８】
ダウンリンク情報が第５の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である。
【０２８９】
ダウンリンク情報が第６の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【０２９０】
任意で、第１シンボル数は３であり、第２シンボル数は６であり、第３シンボル数は９である。
【０２９１】
任意で、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【０２９２】
任意で、ダウンリンク情報が第７の値に対応するとき、第３部分に対応するシンボル数は第４シンボル数である。
【０２９３】
ダウンリンク情報が第８の値に対応するとき、第３部分に対応するシンボル数は第５シンボル数である。
【０２９４】
ダウンリンク情報が第９の値に対応するとき、第３部分に対応するシンボル数は第６シンボル数である。
【０２９５】
ダウンリンク情報が第１０の値に対応するとき、第３部分に対応するシンボル数は第７シンボル数である。
【０２９６】
任意で、第４シンボル数は１、第５シンボル数は２、第６シンボル数は４、第７シンボル数は６である。
【０２９７】
任意で、第４シンボル数、第５シンボル数、第６シンボル数および第７シンボル数は、より高い層のシグナリングを使用することによって構成される。
【０２９８】
任意で、ダウンリンク情報は、ダウンリンク制御情報フォーマットで搬送され、ダウンリンク情報は２ビットに対応し、第１の値は００であり、第２の値は０１である。
【０２９９】
任意で、ダウンリンク情報はダウンリンク制御情報フォーマットで搬送され、ダウンリンク情報は２ビットに対応し、第３の値は００であり、第４の値は０１であり、第５の値は１０であり、第６の値は１１である。
【０３００】
任意で、ダウンリンク情報はダウンリンク制御情報フォーマットで搬送され、ダウンリンク情報は、２ビットに対応し、第７の値は００であり、第８の値は０１であり、第９の値は１０であり、第１０の値は１１である。
【０３０１】
任意で、ダウンリンク情報はダウンリンク制御情報フォーマットで搬送され、ダウンリンク制御情報フォーマットに対応するビットの数は、ダウンリンク制御情報フォーマット１Ｃに対応するビットの数と同一である。ダウンリンク制御情報フォーマットは、Ｉ個のダウンリンク情報を含み、Ｉ個のダウンリンク情報の各々は、Ｎビットに対応し、
【数１】
2019504554.tif 000019
【数２】
2019504554.tif 000020
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しい。Ｉ個のダウンリンク情報は、異なるサービングセルに対応し、Ｉ≧１、Ｎ≧１であり、ＩおよびＮは両方とも整数である。
【０３０２】
任意で、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【０３０３】
任意で、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【０３０４】
任意で、ダウンリンク情報は、無線フレーム１において搬送され、第１サブフレームは無線フレーム２に属し、無線フレーム１は、１つの無線フレームだけを含み、無線フレーム２は、Ｍ個の連続する無線フレームを含み、Ｍ≧１であり、Ｍは整数である。
【０３０５】
任意で、無線フレーム２における１番目の無線フレームは、無線フレーム１の後の１番目の無線フレームである。
【０３０６】
任意で、ダウンリンク情報は、無線フレーム１におけるＲ個のサブフレームにおいて搬送され、Ｒ個のサブフレームは、無線フレーム１におけるサブフレーム０を含み、Ｒ≧１であり、Ｒは整数である。
【０３０７】
任意で、第１サブフレームは、無線フレーム２における各無線フレームにおけるサブフレーム３、サブフレーム４、サブフレーム８またはサブフレーム９のうちの１つまたは複数である。
【０３０８】
本発明のこの実施形態において提供されるユーザ機器は、基地局によって送信された、受信されたダウンリンク情報に従って、第１サブフレームのサブフレーム構造を決定し、基地局およびユーザ機器はさらに、第１サブフレームのサブフレーム構造に従って、サービングセルのフレーム構造を決定し、ユーザ機器は、サービングセルの決定されたフレーム構造に従って、サービングセルにおいて情報を伝送する。基地局は、動的シグナリングを使用することによって、第１サブフレームのフレーム構造を調整し得る。例えば、低レイテンシサービスの場合、第１サブフレームの決定されたサブフレーム構造は、低レイテンシサービスの要件を満たすことができる。従って、ユーザ機器が、サービングセルの決定されたフレーム構造に従ってサービングセルにおいて情報を伝送するとき、ユーザエクスペリエンスを改善できる。
【０３０９】
ハードウェア実装中、ユーザ機器４０におけるユニットは、ユーザ機器４０のプロセッサにハードウェア形式で組み込まれ得るか、もしくは、それから独立して構成され得るか、または、ソフトウェア形式でユーザ機器４０のメモリに記憶され得て、その結果、プロセッサが、ユニットの各々に対応する動作を呼び出して実行する。プロセッサは、中央演算処理装置（Ｃｅｎｔｒａｌ  Ｐｒｏｃｅｓｓｉｎｇ  Ｕｎｉｔ、省略名：ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、省略名：ＡＳＩＣ）、または、本発明のこの実施形態を実装するように構成されている集積回路のうちの１もしくは複数であり得る。
【０３１０】
本発明の実施形態はさらに、上述した方法を実行するように構成されているユーザ機器５０を提供する。図５に示されるように、ユーザ機器５０は、送受信器５０１、メモリ５０２およびプロセッサ５０３を備える。
【０３１１】
送受信器５０１、メモリ５０２およびプロセッサ５０３は、バスシステム５０４を使用することによって連結される。メモリ５０２は、ランダムアクセスメモリを含み得るか、または、不揮発性メモリ、例えば、少なくとも１つの磁気ディスクメモリを含み得る。バスシステム５０４は、業界標準アーキテクチャ（Ｉｎｄｕｓｔｒｙ  Ｓｔａｎｄａｒｄ  Ａｒｃｈｉｔｅｃｔｕｒｅ、省略名：ＩＳＡ）バス、ペリフェラルコンポーネントインターコネクト（Ｐｅｒｉｐｈｅｒａｌ  Ｃｏｍｐｏｎｅｎｔ、省略名：ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、省略名：ＥＩＳＡ）バスまたは同様のものであり得る。バスシステム５０４は、アドレスバス、データバス、制御バスおよび同様のものに分類され得る。表記を容易にするために、バスは、図５において１本の太線を使用することによって表される。しかしながら、これは、１つのバスのみがあること、または、１種類のバスのみがあることを示さない。
【０３１２】
送受信器５０１は、ダウンリンク情報を受信するように構成されている。
【０３１３】
メモリ５０２は、コードを記憶するように構成され、プロセッサ５０３は、メモリ５０２に記憶されたコードに従って、ダウンリンク情報に従って第１サブフレームのサブフレーム構造を決定する動作と、第１サブフレームのサブフレーム構造に従ってサービングセルのフレーム構造を決定する動作とを実行する。
【０３１４】
送受信器５０１はさらに、サービングセルの決定されたフレーム構造に従って、サービングセルにおいて情報を送信および受信するように構成されている。
【０３１５】
任意で、ダウンリンク情報が異なる値に対応するとき、第１サブフレームのサブフレーム構造は異なる。
【０３１６】
任意で、ダウンリンク情報が第１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０３１７】
ダウンリンク情報が第２の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルである。
【０３１８】
任意で、第３部分に対応するシンボル数は５または６である。
【０３１９】
任意で、ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０３２０】
ダウンリンク情報が第４の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である。
【０３２１】
ダウンリンク情報が第５の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である。
【０３２２】
ダウンリンク情報が第６の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【０３２３】
任意で、第１シンボル数は３であり、第２シンボル数は６であり、第３シンボル数は９である。
【０３２４】
任意で、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【０３２５】
任意で、ダウンリンク情報が第７の値に対応するとき、第３部分に対応するシンボル数は第４シンボル数である。
【０３２６】
ダウンリンク情報が第８の値に対応するとき、第３部分に対応するシンボル数は第５シンボル数である。
【０３２７】
ダウンリンク情報が第９の値に対応するとき、第３部分に対応するシンボル数は第６シンボル数である。
【０３２８】
ダウンリンク情報が第１０の値に対応するとき、第３部分に対応するシンボル数は第７シンボル数である。
【０３２９】
任意で、第４シンボル数は１、第５シンボル数は２、第６シンボル数は４、第７シンボル数は６である。
【０３３０】
任意で、第４シンボル数、第５シンボル数、第６シンボル数および第７シンボル数は、より高い層のシグナリングを使用することによって構成される。
【０３３１】
任意で、ダウンリンク情報は、ダウンリンク制御情報フォーマットで搬送され、ダウンリンク情報は２ビットに対応し、第１の値は００であり、第２の値は０１である。
【０３３２】
任意で、ダウンリンク情報はダウンリンク制御情報フォーマットで搬送され、ダウンリンク情報は２ビットに対応し、第３の値は００であり、第４の値は０１であり、第５の値は１０であり、第６の値は１１である。
【０３３３】
任意で、ダウンリンク情報はダウンリンク制御情報フォーマットで搬送され、ダウンリンク情報は、２ビットに対応し、第７の値は００であり、第８の値は０１であり、第９の値は１０であり、第１０の値は１１である。
【０３３４】
任意で、ダウンリンク情報はダウンリンク制御情報フォーマットで搬送され、ダウンリンク制御情報フォーマットに対応するビットの数は、ダウンリンク制御情報フォーマット１Ｃに対応するビットの数と同一である。ダウンリンク制御情報フォーマットは、Ｉ個のダウンリンク情報を含み、Ｉ個のダウンリンク情報の各々は、Ｎビットに対応し、
【数１】
2019504554.tif 000021
であり、
【数２】
2019504554.tif 000022
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しい。Ｉ個のダウンリンク情報は、異なるサービングセルに対応し、Ｉ≧１、Ｎ≧１であり、ＩおよびＮは両方とも整数である。
【０３３５】
任意で、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【０３３６】
任意で、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【０３３７】
任意で、ダウンリンク情報は、無線フレーム１において搬送され、第１サブフレームは無線フレーム２に属し、無線フレーム１は、１つの無線フレームだけを含み、無線フレーム２は、Ｍ個の連続する無線フレームを含み、Ｍ≧１であり、Ｍは整数である。
【０３３８】
任意で、無線フレーム２における１番目の無線フレームは、無線フレーム１の後の１番目の無線フレームである。
【０３３９】
任意で、ダウンリンク情報は、無線フレーム１におけるＲ個のサブフレームにおいて搬送され、Ｒ個のサブフレームは、無線フレーム１におけるサブフレーム０を含み、Ｒ≧１であり、Ｒは整数である。
【０３４０】
任意で、第１サブフレームは、無線フレーム２における各無線フレームにおけるサブフレーム３、サブフレーム４、サブフレーム８またはサブフレーム９のうちの１つまたは複数である。
【０３４１】
本発明のこの実施形態において提供されるユーザ機器は、基地局によって送信された、受信されたダウンリンク情報に従って、第１サブフレームのサブフレーム構造を決定し、基地局およびユーザ機器はさらに、第１サブフレームのサブフレーム構造に従って、サービングセルのフレーム構造を決定し、ユーザ機器は、サービングセルの決定されたフレーム構造に従って、サービングセルにおいて情報を伝送する。基地局は、動的シグナリングを使用することによって、第１サブフレームのフレーム構造を調整し得る。例えば、低レイテンシサービスの場合、第１サブフレームの決定されたサブフレーム構造は、低レイテンシサービスの要件を満たすことができる。従って、ユーザ機器が、サービングセルの決定されたフレーム構造に従ってサービングセルにおいて情報を伝送するとき、ユーザエクスペリエンスを改善できる。
【０３４２】
本発明の実施形態はさらに、上述した方法を実行するように構成されている基地局６０を提供する。図６に示されるように、基地局６０は、第１サブフレームのサブフレーム構造を決定するように構成されている決定ユニット６０１と、ダウンリンク情報をユーザ機器へ送信するように構成されている送受信ユニット６０２とを備え、ダウンリンク情報は、第１サブフレームのサブフレーム構造を決定するようにユーザ機器に命令するために使用される。
【０３４３】
決定ユニット６０１はさらに、第１サブフレームのサブフレーム構造に従って、ユーザ機器のサービングセルのフレーム構造を決定するように構成されている。
【０３４４】
送受信ユニット６０２はさらに、サービングセルの決定されたフレーム構造に従って、サービングセルにおいてユーザ機器へ情報を送信し、サービングセルの決定されたフレーム構造に従って、ユーザ機器によって送信された情報をサービングセルにおいて受信するように構成されている。
【０３４５】
任意で、ダウンリンク情報が異なる値に対応するとき、第１サブフレームのサブフレーム構造は異なる。
【０３４６】
任意で、ダウンリンク情報が第１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０３４７】
ダウンリンク情報が第２の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルである。
【０３４８】
任意で、第３部分に対応するシンボル数は５または６である。
【０３４９】
任意で、ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０３５０】
ダウンリンク情報が第４の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である。
【０３５１】
ダウンリンク情報が第５の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である。
【０３５２】
ダウンリンク情報が第６の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【０３５３】
任意で、第１シンボル数は３であり、第２シンボル数は６であり、第３シンボル数は９である。
【０３５４】
任意で、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【０３５５】
任意で、ダウンリンク情報が第７の値に対応するとき、第３部分に対応するシンボル数は第４シンボル数である。
【０３５６】
ダウンリンク情報が第８の値に対応するとき、第３部分に対応するシンボル数は第５シンボル数である。
【０３５７】
ダウンリンク情報が第９の値に対応するとき、第３部分に対応するシンボル数は第６シンボル数である。
【０３５８】
ダウンリンク情報が第１０の値に対応するとき、第３部分に対応するシンボル数は第７シンボル数である。
【０３５９】
任意で、第４シンボル数は１、第５シンボル数は２、第６シンボル数は４、第７シンボル数は６である。
【０３６０】
任意で、第４シンボル数、第５シンボル数、第６シンボル数および第７シンボル数は、より高い層のシグナリングを使用することによって構成される。
【０３６１】
任意で、ダウンリンク情報は、ダウンリンク制御情報フォーマットで搬送され、ダウンリンク情報は２ビットに対応し、第１の値は００であり、第２の値は０１である。
【０３６２】
任意で、ダウンリンク情報はダウンリンク制御情報フォーマットで搬送され、ダウンリンク情報は２ビットに対応し、第３の値は００であり、第４の値は０１であり、第５の値は１０であり、第６の値は１１である。
【０３６３】
任意で、ダウンリンク情報はダウンリンク制御情報フォーマットで搬送され、ダウンリンク情報は、２ビットに対応し、第７の値は００であり、第８の値は０１であり、第９の値は１０であり、第１０の値は１１である。
【０３６４】
任意で、ダウンリンク情報はダウンリンク制御情報フォーマットで搬送され、ダウンリンク制御情報フォーマットに対応するビットの数は、ダウンリンク制御情報フォーマット１Ｃに対応するビットの数と同一である。ダウンリンク制御情報フォーマットは、Ｉ個のダウンリンク情報を含み、Ｉ個のダウンリンク情報の各々は、Ｎビットに対応し、
【数１】
2019504554.tif 000023
であり、
【数２】
2019504554.tif 000024
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しい。Ｉ個のダウンリンク情報は、異なるサービングセルに対応し、Ｉ≧１、Ｎ≧１であり、ＩおよびＮは両方とも整数である。
【０３６５】
任意で、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【０３６６】
任意で、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【０３６７】
任意で、ダウンリンク情報は、無線フレーム１において搬送され、第１サブフレームは無線フレーム２に属し、無線フレーム１は、１つの無線フレームだけを含み、無線フレーム２は、Ｍ個の連続する無線フレームを含み、Ｍ≧１であり、Ｍは整数である。
【０３６８】
任意で、無線フレーム２における１番目の無線フレームは、無線フレーム１の後の１番目の無線フレームである。
【０３６９】
任意で、ダウンリンク情報は、無線フレーム１におけるＲ個のサブフレームにおいて搬送され、Ｒ個のサブフレームは、無線フレーム１におけるサブフレーム０を含み、Ｒ≧１であり、Ｒは整数である。
【０３７０】
任意で、第１サブフレームは、無線フレーム２における各無線フレームにおけるサブフレーム３、サブフレーム４、サブフレーム８またはサブフレーム９のうちの１つまたは複数である。
【０３７１】
本発明のこの実施形態において提供される基地局は、ダウンリンク情報をユーザ機器へ送信し得て、ユーザ機器は、基地局によって送信されたダウンリンク情報に従って、第１サブフレームのサブフレーム構造を決定し得て、第１サブフレームのサブフレーム構造に従って、サービングセルのフレーム構造をさらに決定し得て、サービングセルの決定されたフレーム構造に従ってサービングセルにおいて情報を伝送し得る。基地局は、動的シグナリングを使用することによって、第１サブフレームのフレーム構造を調整し得る。従って、基地局は、実際のサービス要件に従って、第１サブフレームの使用されているフレーム構造を決定し得る。例えば、低レイテンシサービスの場合、第１サブフレームの決定されたサブフレーム構造は、低レイテンシサービスの要件を満たすことができ、従って、ユーザ機器が、サービングセルの決定されたフレーム構造に従って、サービングセルにおいて情報を伝送するとき、レイテンシを低減でき、ユーザエクスペリエンスを改善できる。
【０３７２】
ハードウェア実装中、基地局６０におけるユニットは、基地局６０のプロセッサに、ハードウェア形式で組み込まれ得るか、もしくは、それから独立して構成され得るか、または、ソフトウェア形式で基地局６０のメモリに記憶され得て、その結果、プロセッサが、ユニットの各々に対応する動作を呼び出して実行する。プロセッサはＣＰＵ、ＡＳＩＣ、または、本発明のこの実施形態を実装するように構成されている集積回路のうちの１つもしくは複数であり得る。
【０３７３】
本発明の実施形態はさらに、上述した方法を実行するように構成されている基地局７０を提供する。図７に示されているように、基地局７０は、メモリ７０１、プロセッサ７０２および送受信器７０３を備える。
【０３７４】
メモリ７０１、プロセッサ７０２および送受信器７０３は、バスシステム７０４を使用することによって連結される。メモリ７０１は、ランダムアクセスメモリを含み得るか、または、不揮発性メモリ、例えば、少なくとも１つの磁気ディスクメモリを含み得る。バスシステム７０４は、ＩＳＡバス、ＰＣＩバス、ＥＩＳＡバスまたは同様のものであり得る。バスシステム７０４は、アドレスバス、データバス、制御バスおよび同様のものに分類され得る。表記を容易にするために、バスは、図７において１本の太線を使用することによって表される。しかしながら、これは、１つのバスのみがあること、または、１種類のバスのみがあることを示さない。
【０３７５】
メモリ７０１は、コードを記憶するように構成され、プロセッサ７０２は、メモリ７０１に記憶されているコードに従って、第１サブフレームのサブフレーム構造を決定する動作を実行する。
【０３７６】
送受信器７０３は、ダウンリンク情報をユーザ機器へ送信するように構成され、ダウンリンク情報は、第１サブフレームのサブフレーム構造をダウンリンク情報に従って決定するようにユーザ機器に命令するために使用される。
【０３７７】
プロセッサ７０２はさらに、第１サブフレームのサブフレーム構造に従って、ユーザ機器のサービングセルのフレーム構造を決定するように構成されている。
【０３７８】
送受信器７０３はさらに、サービングセルの決定されたフレーム構造に従って、サービングセルにおいてユーザ機器へ情報を送信し、サービングセルの決定されたフレーム構造に従って、ユーザ機器によって送信された情報をサービングセルにおいて受信するように構成されている。
【０３７９】
任意で、ダウンリンク情報が異なる値に対応するとき、第１サブフレームのサブフレーム構造は異なる。
【０３８０】
任意で、ダウンリンク情報が第１の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０３８１】
ダウンリンク情報が第２の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルである。
【０３８２】
任意で、第３部分に対応するシンボル数は５または６である。
【０３８３】
任意で、ダウンリンク情報が第３の値に対応するとき、第１サブフレームは、デフォルトのサブフレームであり、第１サブフレームのサブフレーム構造はデフォルトのサブフレームのサブフレーム構造であり、デフォルトのサブフレームはダウンリンクサブフレームまたはアップリンクサブフレームである。
【０３８４】
ダウンリンク情報が第４の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第１シンボル数である。
【０３８５】
ダウンリンク情報が第５の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第２シンボル数である。
【０３８６】
ダウンリンク情報が第６の値に対応するとき、第１サブフレームのサブフレーム構造は３つの部分を含む。第１部分はダウンリンク伝送に使用されるシンボルであり、第２部分はガード期間ＧＰであり、第３部分はアップリンク伝送に使用されるシンボルであり、第３部分に対応するシンボル数は第３シンボル数である。
【０３８７】
任意で、第１シンボル数は３であり、第２シンボル数は６であり、第３シンボル数は９である。
【０３８８】
任意で、ダウンリンク情報が異なる値に対応するとき、第１サブフレームのサブフレーム構造が異なることは、第１サブフレームのサブフレーム構造が３つの部分を含み、第１部分はダウンリンク伝送に使用されるシンボルであり、第２部分はガード期間ＧＰであり、第３部分はアップリンク伝送に使用されるシンボルであることを含み、ダウンリンク情報が異なる値に対応するとき、第３部分に対応するシンボル数は異なる。
【０３８９】
任意で、ダウンリンク情報が第７の値に対応するとき、第３部分に対応するシンボル数は第４シンボル数である。
【０３９０】
ダウンリンク情報が第８の値に対応するとき、第３部分に対応するシンボル数は第５シンボル数である。
【０３９１】
ダウンリンク情報が第９の値に対応するとき、第３部分に対応するシンボル数は第６シンボル数である。
【０３９２】
ダウンリンク情報が第１０の値に対応するとき、第３部分に対応するシンボル数は第７シンボル数である。
【０３９３】
任意で、第４シンボル数は１、第５シンボル数は２、第６シンボル数は４、第７シンボル数は６である。
【０３９４】
任意で、第４シンボル数、第５シンボル数、第６シンボル数および第７シンボル数は、より高い層のシグナリングを使用することによって構成される。
【０３９５】
任意で、ダウンリンク情報は、ダウンリンク制御情報フォーマットで搬送され、ダウンリンク情報は２ビットに対応し、第１の値は００であり、第２の値は０１である。
【０３９６】
任意で、ダウンリンク情報はダウンリンク制御情報フォーマットで搬送され、ダウンリンク情報は２ビットに対応し、第３の値は００であり、第４の値は０１であり、第５の値は１０であり、第６の値は１１である。
【０３９７】
任意で、ダウンリンク情報はダウンリンク制御情報フォーマットで搬送され、ダウンリンク情報は、２ビットに対応し、第７の値は００であり、第８の値は０１であり、第９の値は１０であり、第１０の値は１１である。
【０３９８】
任意で、ダウンリンク情報はダウンリンク制御情報フォーマットで搬送され、ダウンリンク制御情報フォーマットに対応するビットの数は、ダウンリンク制御情報フォーマット１Ｃに対応するビットの数と同一である。ダウンリンク制御情報フォーマットは、Ｉ個のダウンリンク情報を含み、Ｉ個のダウンリンク情報の各々は、Ｎビットに対応し、
【数１】
2019504554.tif 000025
であり、
【数２】
2019504554.tif 000026
は、ダウンリンク制御情報フォーマット１Ｃが１つの物理ダウンリンク共有チャネルコードワードをスケジューリングするために使用されるときにダウンリンク制御情報フォーマット１Ｃに対応するビットの数に等しい。Ｉ個のダウンリンク情報は、異なるサービングセルに対応し、Ｉ≧１、Ｎ≧１であり、ＩおよびＮは両方とも整数である。
【０３９９】
任意で、ダウンリンク情報は、ダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルを伝送するためのサブフレームである。
【０４００】
任意で、ダウンリンク情報はダウンリンク制御情報フォーマットで搬送され、ダウンリンク制御情報フォーマットは、物理ダウンリンク共有チャネルをスケジューリングするために使用され、第１サブフレームは、物理ダウンリンク共有チャネルに対応するハイブリッド自動再送要求−肯定応答情報を伝送するためのサブフレームである。
【０４０１】
任意で、ダウンリンク情報は、無線フレーム１において搬送され、第１サブフレームは無線フレーム２に属し、無線フレーム１は、１つの無線フレームだけを含み、無線フレーム２は、Ｍ個の連続する無線フレームを含み、Ｍ≧１であり、Ｍは整数である。
【０４０２】
任意で、無線フレーム２における１番目の無線フレームは、無線フレーム１の後の１番目の無線フレームである。
【０４０３】
任意で、ダウンリンク情報は、無線フレーム１におけるＲ個のサブフレームにおいて搬送され、Ｒ個のサブフレームは、無線フレーム１におけるサブフレーム０を含み、Ｒ≧１であり、Ｒは整数である。
【０４０４】
任意で、第１サブフレームは、無線フレーム２における各無線フレームにおけるサブフレーム３、サブフレーム４、サブフレーム８またはサブフレーム９のうちの１つまたは複数である。
【０４０５】
本発明のこの実施形態において提供される基地局は、ダウンリンク情報をユーザ機器へ送信し得て、ユーザ機器は、基地局によって送信されたダウンリンク情報に従って、第１サブフレームのサブフレーム構造を決定し得て、第１サブフレームのサブフレーム構造に従って、サービングセルのフレーム構造をさらに決定し得て、サービングセルの決定されたフレーム構造に従ってサービングセルにおいて情報を伝送し得る。基地局は、動的シグナリングを使用することによって、第１サブフレームのフレーム構造を調整し得る。従って、基地局は、実際のサービス要件に従って、第１サブフレームの使用されているフレーム構造を決定し得る。例えば、低レイテンシサービスの場合、第１サブフレームの決定されたサブフレーム構造は、低レイテンシサービスの要件を満たすことができ、従って、ユーザ機器が、サービングセルの決定されたフレーム構造に従って、サービングセルにおいて情報を伝送するとき、レイテンシを低減でき、ユーザエクスペリエンスを改善できる。
【０４０６】
本発明の実施形態はさらに、情報を送信および受信するためのシステムを提供する。システムは、上述の実施形態において提供されるユーザ機器４０および基地局６０、または、上述の実施形態において提供されるユーザ機器５０および基地局７０を備える。
【０４０７】
本発明の実施形態において提供されている上述した方法に対応して、装置（基地局およびユーザ機器を含む）は、ＬＴＥシステムまたはＬＴＥ−Ａｄｖａｎｃｅｄシステムに適用可能であり、例えば、ＬＴＥシステムまたはＬＴＥ−Ａｄｖａｎｃｅｄシステムにおける単一キャリアのシナリオ、および、キャリアアグリゲーションのシナリオに適用可能であることに留意すべきである。
【０４０８】
本願で提供されるいくつかの実施形態において、開示された装置及び方法は、他の方式で実装され得ることが理解されるべきである。例えば、説明された装置の実施形態は、例示的なものに過ぎない。例えば、モジュールの区分は、単に論理的な機能の区分に過ぎず、実際の実装において他の区分であってよい。例えば、複数のモジュールまたはコンポーネントが組み合わせられてよく、もしくは、別のシステムに一体化されてよく、または、いくつかの特徴が無視されてよく、もしくは、実行されなくてよい。
【０４０９】
別個の部分として説明されたモジュールは、物理的に分かれていても、そうでなくてもよい。また、モジュールとして表示された部分は、物理的モジュールであっても、そうでなくてもよく、一か所に位置付けられてよく、または、複数のネットワークユニットにおいて分散されてよい。実施形態の解決法の目的を実現するために、ユニットの一部またはすべてが、実際の要件に従って選択されてよい。
【０４１０】
加えて、本発明の実施形態における機能モジュールは、１つの処理モジュールに一体化され得るか、または、２もしくはより多くのモジュールが１つのモジュールに一体化される。一体化されたモジュールがハードウェアの形式で実装され得るか、または、ソフトウェア機能モジュールに加えてハードウェアの形式で実装され得る。
【０４１１】
上述の一体化されたモジュールは、ソフトウェア機能モジュールの形式で実装されるとき、一体化されたユニットは、コンピュータ可読記憶媒体に記憶され得る。ソフトウェア機能モジュールは、記憶媒体に記憶され、本発明の実施形態で説明された方法の段階の一部を実行すべく、コンピュータデバイス（パーソナルコンピュータ、サーバまたはネットワークデバイスであってよい）に命令するためのいくつかの命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、省略名：ＲＯＭ）、ランダムアクセスメモリ（Ｒａｎｄｏｍ  Ａｃｃｅｓｓ  Ｍｅｍｏｒｙ、省略名：ＲＡＭ）、磁気ディスク、または光ディスクなどの、プログラムコードを記憶可能な任意の媒体を含む。
【０４１２】
上述の実施形態は単に、本願の技術的解決法を説明することを意図するに過ぎず、本願を限定するものではない。上述の実施形態に関連して本願が詳細に説明されているが、当業者であればさらに、本願の実施形態の技術的解決法の趣旨および範囲から逸脱することなく、上述の実施形態において説明された技術的解決法に対して変更を施し得、または、それらのいくつかの技術的特徴に対して等価な置き換えを行い得ることを当業者は理解すべきである。
【図１】
2019504554.tif 000035
【図２】
2019504554.tif 000036
【図３】
2019504554.tif 000037
【図４】
2019504554.tif 000038
【図５】
2019504554.tif 000039
【図６】
2019504554.tif 000040
【図７】
2019504554.tif 000041
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ユーザ機器がダウンリンク情報を受信する段階と、
前記ユーザ機器が前記ダウンリンク情報に従って第１サブフレームのサブフレーム構造を決定する段階と、
前記ユーザ機器が前記第１サブフレームの前記サブフレーム構造に従ってサービングセルのフレーム構造を決定する段階と、
前記ユーザ機器が前記サービングセルの決定された前記フレーム構造に従って前記サービングセルにおいて情報を送信および受信する段階と
を備える、情報を送信および受信するための方法。
【請求項２】
前記ダウンリンク情報が異なる値に対応するとき、前記第１サブフレームの前記サブフレーム構造は異なる、請求項１に記載の方法。
【請求項３】
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであり、
前記ダウンリンク情報が異なる値に対応するとき、前記第３部分に対応するシンボル数は異なる、
請求項１または２に記載の方法。
【請求項４】
前記ダウンリンク情報が第７の値に対応するとき、前記第３部分に対応するシンボル数は第４シンボル数である、
前記ダウンリンク情報が第８の値に対応するとき、前記第３部分に対応するシンボル数は第５シンボル数である、
前記ダウンリンク情報が第９の値に対応するとき、前記第３部分に対応するシンボル数は第６シンボル数である、または、
前記ダウンリンク情報が第１０の値に対応するとき、前記第３部分に対応するシンボル数は第７シンボル数である、
請求項３に記載の方法。
【請求項５】
前記第４シンボル数は１であり、前記第５シンボル数は２であり、前記第６シンボル数は４であり、前記第７シンボル数は６である、請求項４に記載の方法。
【請求項６】
前記第４シンボル数、前記第５シンボル数、前記第６シンボル数および前記第７シンボル数は、より高い層のシグナリングを使用することによって構成される、請求項４に記載の方法。
【請求項７】
基地局が第１サブフレームのサブフレーム構造を決定する段階と、
前記基地局がダウンリンク情報をユーザ機器へ送信する段階であって、前記ダウンリンク情報は、前記第１サブフレームの前記サブフレーム構造を指示するために使用される、段階と、
前記基地局が前記第１サブフレームの前記サブフレーム構造に従って前記ユーザ機器のサービングセルのフレーム構造を決定する段階と、
前記基地局が前記サービングセルの決定された前記フレーム構造に従って、前記サービングセルにおいて前記ユーザ機器へ情報を送信し、前記サービングセルの決定された前記フレーム構造に従って、前記ユーザ機器によって送信された情報を前記サービングセルにおいて受信する段階と
を備える、情報を送信および受信するための方法。
【請求項８】
前記ダウンリンク情報が異なる値に対応するとき、前記第１サブフレームの前記サブフレーム構造は異なる、請求項７に記載の方法。
【請求項９】
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであり、
前記ダウンリンク情報が異なる値に対応するとき、前記第３部分に対応するシンボル数は異なる、
請求項７または８に記載の方法。
【請求項１０】
前記ダウンリンク情報が第７の値に対応するとき、前記第３部分に対応するシンボル数は第４シンボル数である、
前記ダウンリンク情報が第８の値に対応するとき、前記第３部分に対応するシンボル数は第５シンボル数である、
前記ダウンリンク情報が第９の値に対応するとき、前記第３部分に対応するシンボル数は第６シンボル数である、または、
前記ダウンリンク情報が第１０の値に対応するとき、前記第３部分に対応するシンボル数は第７シンボル数である、
請求項９に記載の方法。
【請求項１１】
前記第４シンボル数は１であり、前記第５シンボル数は２であり、前記第６シンボル数は４であり、前記第７シンボル数は６である、請求項１０に記載の方法。
【請求項１２】
前記第４シンボル数、前記第５シンボル数、前記第６シンボル数および前記第７シンボル数は、より高い層のシグナリングを使用することによって構成される、請求項１０に記載の方法。
【請求項１３】
送受信ユニットおよび決定ユニットを備えるユーザ機器であって、
前記送受信ユニットは、ダウンリンク情報を受信し、
前記決定ユニットは、前記ダウンリンク情報に従って、第１サブフレームのサブフレーム構造を決定し、前記第１サブフレームの前記サブフレーム構造に従って、サービングセルのフレーム構造を決定し、
前記送受信ユニットはさらに、前記サービングセルの決定された前記フレーム構造に従って、前記サービングセルにおいて情報を送信および受信する、
ユーザ機器。
【請求項１４】
前記ダウンリンク情報が異なる値に対応するとき、前記第１サブフレームの前記サブフレーム構造は異なる、請求項１３に記載のユーザ機器。
【請求項１５】
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであり、
前記ダウンリンク情報が異なる値に対応するとき、前記第３部分に対応するシンボル数は異なる、
請求項１３または１４に記載のユーザ機器。
【請求項１６】
前記ダウンリンク情報が第７の値に対応するとき、前記第３部分に対応するシンボル数は第４シンボル数である、または
前記ダウンリンク情報が第８の値に対応するとき、前記第３部分に対応するシンボル数は、第５シンボル数である、または、
前記ダウンリンク情報が第９の値に対応するとき、前記第３部分に対応するシンボル数は、第６シンボル数である、または、
前記ダウンリンク情報が第１０の値に対応するとき、前記第３部分に対応するシンボル数は、第７シンボル数である、
請求項１５に記載のユーザ機器。
【請求項１７】
前記第４シンボル数は１であり、前記第５シンボル数は２であり、前記第６シンボル数は４であり、前記第７シンボル数は６である、請求項１６に記載のユーザ機器。
【請求項１８】
前記第４シンボル数、前記第５シンボル数、前記第６シンボル数、および前記第７シンボル数は、より高い層のシグナリングを使用することによって構成される、請求項１６に記載のユーザ機器。
【請求項１９】
決定ユニットおよび送受信ユニットを備える基地局であって、
前記決定ユニットは、第１サブフレームのサブフレーム構造を決定し、
前記送受信ユニットは、ダウンリンク情報をユーザ機器へ送信し、前記ダウンリンク情報は、前記第１サブフレームの前記サブフレーム構造を指示するために使用され、
前記決定ユニットはさらに、前記第１サブフレームの前記サブフレーム構造に従って、前記ユーザ機器のサービングセルのフレーム構造を決定し、
前記送受信ユニットはさらに、前記サービングセルの決定された前記フレーム構造に従って、前記サービングセルにおいて、前記ユーザ機器へ情報を送信し、前記サービングセルの決定された前記フレーム構造に従って、前記ユーザ機器によって送信された情報を前記サービングセルにおいて受信する、
基地局。
【請求項２０】
前記ダウンリンク情報が異なる値に対応するとき、前記第１サブフレームの前記サブフレーム構造は異なる、請求項１９に記載の基地局。
【請求項２１】
前記第１サブフレームの前記サブフレーム構造が３つの部分を含み、第１部分はダウンリンク伝送に使用されるシンボルであり、第２部分はガード期間ＧＰであり、第３部分はアップリンク伝送に使用されるシンボルであり、
前記ダウンリンク情報が異なる値に対応するとき、前記第３部分に対応するシンボル数は異なる、
請求項１９または２０に記載の基地局。
【請求項２２】
前記ダウンリンク情報が第７の値に対応するとき、前記第３部分に対応するシンボル数は第４シンボル数である、または
前記ダウンリンク情報が第８の値に対応するとき、前記第３部分に対応するシンボル数は、第５シンボル数である、または、
前記ダウンリンク情報が第９の値に対応するとき、前記第３部分に対応するシンボル数は、第６シンボル数である、または、
前記ダウンリンク情報が第１０の値に対応するとき、前記第３部分に対応するシンボル数は、第７シンボル数である、
請求項２１に記載の基地局。
【請求項２３】
前記第４シンボル数は１であり、前記第５シンボル数は２であり、前記第６シンボル数は４であり、前記第７シンボル数は６である、請求項２２に記載の基地局。
【請求項２４】
前記第４シンボル数、前記第５シンボル数、前記第６シンボル数、および前記第７シンボル数は、より高い層のシグナリングを使用することによって構成される、請求項２２に記載の基地局。
【請求項２５】
送受信器およびプロセッサを備えるユーザ機器であって、
前記送受信器はダウンリンク情報を受信し、
前記プロセッサは、
前記ダウンリンク情報に従って第１サブフレームのサブフレーム構造を決定する動作と、
前記第１サブフレームの前記サブフレーム構造に従ってサービングセルのフレーム構造を決定する動作と
を実行し、
前記送受信器はさらに、前記サービングセルの決定された前記フレーム構造に従って、前記サービングセルにおいて情報を送信および受信する、
ユーザ機器。
【請求項２６】
プロセッサおよび送受信器を備える基地局であって、
前記プロセッサは、第１サブフレームのサブフレーム構造を決定し、
前記送受信器は、ダウンリンク情報をユーザ機器へ送信し、前記ダウンリンク情報は、前記第１サブフレームの前記サブフレーム構造を指示するために使用され、
前記プロセッサはさらに、前記第１サブフレームの前記サブフレーム構造に従って、前記ユーザ機器のサービングセルのフレーム構造を決定し、
前記送受信器はさらに、前記サービングセルの決定された前記フレーム構造に従って、前記サービングセルにおいて情報を前記ユーザ機器へ送信し、前記サービングセルの決定された前記フレーム構造に従って、前記ユーザ機器によって送信された情報を前記サービングセルにおいて受信する、
基地局。
【請求項２７】
請求項１３から１８のいずれか一項に記載のユーザ機器と、
請求項１９から２４のいずれか一項に記載の基地局と
を備える、情報を送信および受信するためのシステム。
【請求項２８】
コンピュータによって実行されるとき、前記コンピュータに、請求項１から６のいずれか一項に記載の方法を行わせる命令を含むコンピュータ可読媒体。
【請求項２９】
コンピュータによって実行されるとき、前記コンピュータに、請求項７から１２のいずれか一項に記載の方法を行わせる命令を含むコンピュータ可読媒体。
【請求項３０】
請求項１から６のいずれか一項に記載の方法をコンピュータに実装させるプログラム。
【請求項３１】
請求項７から１２のいずれか一項に記載の方法をコンピュータに実装させるプログラム。
【手続補正２】
【補正対象書類名】明細書
【補正対象項目名】０３１１
【補正方法】変更
【補正の内容】
【０３１１】
送受信器５０１、メモリ５０２およびプロセッサ５０３は、バスシステム５０４を使用することによって連結される。メモリ５０２は、ランダムアクセスメモリを含み得るか、または、不揮発性メモリ、例えば、少なくとも１つの磁気ディスクメモリを含み得る。バスシステム５０４は、業界標準アーキテクチャ（Ｉｎｄｕｓｔｒｙ  Ｓｔａｎｄａｒｄ  Ａｒｃｈｉｔｅｃｔｕｒｅ、省略名：ＩＳＡ）バス、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、省略名：ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、省略名：ＥＩＳＡ）バスまたは同様のものであり得る。バスシステム５０４は、アドレスバス、データバス、制御バスおよび同様のものに分類され得る。表記を容易にするために、バスは、図５において１本の太線を使用することによって表される。しかしながら、これは、１つのバスのみがあること、または、１種類のバスのみがあることを示さない。
【手続補正３】
【補正対象書類名】明細書
【補正対象項目名】０４１２
【補正方法】変更
【補正の内容】
【０４１２】
上述の実施形態は単に、本願の技術的解決法を説明することを意図するに過ぎず、本願を限定するものではない。上述の実施形態に関連して本願が詳細に説明されているが、当業者であればさらに、本願の実施形態の技術的解決法の趣旨および範囲から逸脱することなく、上述の実施形態において説明された技術的解決法に対して変更を施し得、または、それらのいくつかの技術的特徴に対して等価な置き換えを行い得ることを当業者は理解すべきである。
（項目１）
ユーザ機器がダウンリンク情報を受信する段階と、
上記ユーザ機器が上記ダウンリンク情報に従って第１サブフレームのサブフレーム構造を決定する段階と、
上記ユーザ機器が上記第１サブフレームの上記サブフレーム構造に従ってサービングセルのフレーム構造を決定する段階と、
上記ユーザ機器が上記サービングセルの決定された上記フレーム構造に従って上記サービングセルにおいて情報を送信および受信する段階と
を備える、情報を送信および受信するための方法。
（項目２）
上記ダウンリンク情報が異なる値に対応するとき、上記第１サブフレームの上記サブフレーム構造は異なる、項目１に記載の方法。
（項目３）
上記ダウンリンク情報が第１の値に対応するとき、上記第１サブフレームはデフォルトのサブフレームであり、上記第１サブフレームの上記サブフレーム構造は、上記デフォルトのサブフレームのサブフレーム構造であり、上記デフォルトのサブフレームはダウンリンクサブフレームもしくはアップリンクサブフレームである、または、
上記ダウンリンク情報が第２の値に対応するとき、上記第１サブフレームの上記サブフレーム構造は、３つの部分を含み、第１部分はダウンリンク伝送に使用されるシンボルであり、第２部分はガード期間ＧＰであり、第３部分はアップリンク伝送に使用されるシンボルである、
項目２に記載の方法。
（項目４）
上記第３部分に対応するシンボル数は５または６である、項目３に記載の方法。
（項目５）
上記ダウンリンク情報が第３の値に対応するとき、上記第１サブフレームはデフォルトのサブフレームであり、上記第１サブフレームの上記サブフレーム構造は上記デフォルトのサブフレームのサブフレーム構造であり、上記デフォルトのサブフレームはダウンリンクサブフレームまたはアップリンクサブフレームである、
上記ダウンリンク情報が第４の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第１シンボル数である、
上記ダウンリンク情報が第５の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第２シンボル数である、または、
上記ダウンリンク情報が第６の値に対応するとき、上記第１サブフレームの上記サブフレーム構造は３つの部分を含み、第１部分はダウンリンク伝送に使用されるシンボルであり、第２部分はガード期間ＧＰであり、第３部分はアップリンク伝送に使用されるシンボルであり、上記第３部分に対応するシンボル数は第３シンボル数である、
項目２に記載の方法。
（項目６）
上記第１シンボル数は３であり、上記第２シンボル数は６であり、上記第３シンボル数は９である、項目５に記載の方法。
（項目７）
上記ダウンリンク情報が異なる値に対応するとき、上記第１サブフレームの上記サブフレーム構造が異なることは、
上記第１サブフレームの上記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
上記ダウンリンク情報が異なる値に対応するとき、上記第３部分に対応するシンボル数は異なる、
項目２に記載の方法。
（項目８）
上記ダウンリンク情報が第７の値に対応するとき、上記第３部分に対応するシンボル数は第４シンボル数である、
上記ダウンリンク情報が第８の値に対応するとき、上記第３部分に対応するシンボル数は第５シンボル数である、
上記ダウンリンク情報が第９の値に対応するとき、上記第３部分に対応するシンボル数は第６シンボル数である、または、
上記ダウンリンク情報が第１０の値に対応するとき、上記第３部分に対応するシンボル数は第７シンボル数である、
項目７に記載の方法。
（項目９）
上記第４シンボル数は１であり、上記第５シンボル数は２であり、上記第６シンボル数は４であり、上記第７シンボル数は６である、項目８に記載の方法。
（項目１０）
上記第４シンボル数、上記第５シンボル数、上記第６シンボル数および上記第７シンボル数は、より高い層のシグナリングを使用することによって構成される、項目８に記載の方法。
（項目１１）
上記ダウンリンク情報は、ダウンリンク制御情報フォーマットで搬送され、上記ダウンリンク情報は２ビットに対応し、上記第１の値は００であり、上記第２の値は０１である、項目３または４に記載の方法。
（項目１２）
上記ダウンリンク情報は、ダウンリンク制御情報フォーマットで搬送され、上記ダウンリンク情報は、２ビットに対応し、上記第３の値は００であり、上記第４の値は０１であり、上記第５の値は１０であり、上記第６の値は１１である、項目５または６に記載の方法。
（項目１３）
上記ダウンリンク情報は、ダウンリンク制御情報フォーマットで搬送され、上記ダウンリンク情報は、２ビットに対応し、上記第７の値は００であり、上記第８の値は０１であり、上記第９の値は１０であり、上記第１０の値は１１である、項目７から１０のいずれか一項に記載の方法。
（項目１４）
上記ダウンリンク情報は、ダウンリンク制御情報フォーマットで搬送され、上記ダウンリンク制御情報フォーマットに対応するビットの数は、ダウンリンク制御情報フォーマット１Ｃに対応するビットの数と同一であり、上記ダウンリンク制御情報フォーマットは、Ｉ個のダウンリンク情報を含み、上記Ｉ個のダウンリンク情報の各々はＮビットに対応し、
【数１】
2019504554.tif 000042
であり、
【数２】
2019504554.tif 000043
は、上記ダウンリンク制御情報フォーマット１Ｃが１つの物理ダウンリンク共有チャネルコードワードをスケジューリングするために使用されるときに上記ダウンリンク制御情報フォーマット１Ｃに対応するビットの数に等しく、上記Ｉ個のダウンリンク情報は、異なるサービングセルに対応し、Ｉ≧１、Ｎ≧１であり、ＩおよびＮは両方とも整数である、
項目１から１３のいずれか一項に記載の方法。
（項目１５）
上記ダウンリンク情報は、ダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルを伝送するためのサブフレームである、項目１から１３のいずれか一項に記載の方法。
（項目１６）
上記ダウンリンク情報はダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルに対応するハイブリッド自動再送要求−肯定応答情報を伝送するためのサブフレームである、項目１から１３のいずれか一項に記載の方法。
（項目１７）
上記ダウンリンク情報は、無線フレーム１において搬送され、上記第１サブフレームは無線フレーム２に属し、上記無線フレーム１は、１つの無線フレームだけを含み、上記無線フレーム２は、Ｍ個の連続する無線フレームを含み、Ｍ≧１であり、Ｍは整数である、項目１から１４のいずれか一項に記載の方法。
（項目１８）
上記無線フレーム２における１番目の無線フレームは、上記無線フレーム１の後の１番目の無線フレームである、項目１７に記載の方法。
（項目１９）
上記ダウンリンク情報は、上記無線フレーム１におけるＲ個のサブフレームにおいて搬送され、上記Ｒ個のサブフレームは、上記無線フレーム１におけるサブフレーム０を含み、Ｒ≧１であり、Ｒは整数である、項目１７に記載の方法。
（項目２０）
上記第１サブフレームは、上記無線フレーム２における各無線フレームにおけるサブフレーム３、サブフレーム４、サブフレーム８またはサブフレーム９のうちの１つまたは複数である、項目１７に記載の方法。
（項目２１）
基地局が第１サブフレームのサブフレーム構造を決定する段階と、
上記基地局がダウンリンク情報をユーザ機器へ送信する段階であって、上記ダウンリンク情報は、上記ダウンリンク情報に従って上記第１サブフレームの上記サブフレーム構造を決定するように上記ユーザ機器に命令するために使用される、段階と、
上記基地局が上記第１サブフレームの上記サブフレーム構造に従って上記ユーザ機器のサービングセルのフレーム構造を決定する段階と、
上記基地局が上記サービングセルの決定された上記フレーム構造に従って、上記サービングセルにおいて上記ユーザ機器へ情報を送信し、上記サービングセルの決定された上記フレーム構造に従って、上記ユーザ機器によって送信された情報を上記サービングセルにおいて受信する段階と
を備える、情報を送信および受信するための方法。
（項目２２）
上記ダウンリンク情報が異なる値に対応するとき、上記第１サブフレームの上記サブフレーム構造は異なる、項目２１に記載の方法。
（項目２３）
上記ダウンリンク情報が第１の値に対応するとき、上記第１サブフレームはデフォルトのサブフレームであり、上記第１サブフレームの上記サブフレーム構造は上記デフォルトのサブフレームのサブフレーム構造であり、上記デフォルトのサブフレームはダウンリンクサブフレームもしくはアップリンクサブフレームである、または、
上記ダウンリンク情報が第２の値に対応するとき、上記第１サブフレームの上記サブフレーム構造は、３つの部分を含み、第１部分はダウンリンク伝送に使用されるシンボルであり、第２部分はガード期間ＧＰであり、第３部分はアップリンク伝送に使用されるシンボルである、
項目２２に記載の方法。
（項目２４）
上記第３部分に対応するシンボル数は５または６である、項目２３に記載の方法。
（項目２５）
上記ダウンリンク情報が第３の値に対応するとき、上記第１サブフレームはデフォルトのサブフレームであり、上記第１サブフレームの上記サブフレーム構造は上記デフォルトのサブフレームのサブフレーム構造であり、上記デフォルトのサブフレームはダウンリンクサブフレームまたはアップリンクサブフレームである、
上記ダウンリンク情報が第４の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第１シンボル数である、
上記ダウンリンク情報が第５の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第２シンボル数である、または、
上記ダウンリンク情報が第６の値に対応するとき、上記第１サブフレームの上記サブフレーム構造は３つの部分を含み、第１部分はダウンリンク伝送に使用されるシンボルであり、第２部分はガード期間ＧＰであり、第３部分はアップリンク伝送に使用されるシンボルであり、上記第３部分に対応するシンボル数は第３シンボル数である、
項目２２に記載の方法。
（項目２６）
上記第１シンボル数は３であり、上記第２シンボル数は６であり、上記第３シンボル数は９である、項目２５に記載の方法。
（項目２７）
上記ダウンリンク情報が異なる値に対応するとき、上記第１サブフレームの上記サブフレーム構造が異なることは、
上記第１サブフレームの上記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
上記ダウンリンク情報が異なる値に対応するとき、上記第３部分に対応するシンボル数は異なる、
項目２２に記載の方法。
（項目２８）
上記ダウンリンク情報が第７の値に対応するとき、上記第３部分に対応するシンボル数は第４シンボル数である、
上記ダウンリンク情報が第８の値に対応するとき、上記第３部分に対応するシンボル数は第５シンボル数である、
上記ダウンリンク情報が第９の値に対応するとき、上記第３部分に対応するシンボル数は第６シンボル数である、または、
上記ダウンリンク情報が第１０の値に対応するとき、上記第３部分に対応するシンボル数は第７シンボル数である、
項目２７に記載の方法。
（項目２９）
上記第４シンボル数は１であり、上記第５シンボル数は２であり、上記第６シンボル数は４であり、上記第７シンボル数は６である、項目２８に記載の方法。
（項目３０）
上記第４シンボル数、上記第５シンボル数、上記第６シンボル数および上記第７シンボル数は、より高い層のシグナリングを使用することによって構成される、項目２８に記載の方法。
（項目３１）
上記ダウンリンク情報はダウンリンク制御情報フォーマットで搬送され、上記ダウンリンク情報は２ビットに対応し、上記第１の値は００であり、上記第２の値は０１である、項目２３または２４に記載の方法。
（項目３２）
上記ダウンリンク情報は、ダウンリンク制御情報フォーマットで搬送され、上記ダウンリンク情報は、２ビットに対応し、上記第３の値は００であり、上記第４の値は０１であり、上記第５の値は１０であり、上記第６の値は１１である、項目２５または２６に記載の方法。
（項目３３）
上記ダウンリンク情報はダウンリンク制御情報フォーマットで搬送され、上記ダウンリンク情報は、２ビットに対応し、上記第７の値は００であり、上記第８の値は０１であり、上記第９の値は１０であり、上記第１０の値は１１である、項目２７から３０のいずれか一項に記載の方法。
（項目３４）
上記ダウンリンク情報は、ダウンリンク制御情報フォーマットで搬送され、上記ダウンリンク制御情報フォーマットに対応するビットの数は、ダウンリンク制御情報フォーマット１Ｃに対応するビットの数と同一であり、上記ダウンリンク制御情報フォーマットは、Ｉ個のダウンリンク情報を含み、上記Ｉ個のダウンリンク情報の各々はＮビットに対応し、
【数１】
2019504554.tif 000044
であり、
【数２】
2019504554.tif 000045
は、上記ダウンリンク制御情報フォーマット１Ｃが１つの物理ダウンリンク共有チャネルコードワードをスケジューリングするために使用されるときに上記ダウンリンク制御情報フォーマット１Ｃに対応するビットの数に等しく、上記Ｉ個のダウンリンク情報は、異なるサービングセルに対応し、Ｉ≧１、Ｎ≧１であり、ＩおよびＮは両方とも整数である、
項目２１から３３のいずれか一項に記載の方法。
（項目３５）
上記ダウンリンク情報は、ダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルを伝送するためのサブフレームである、項目２１から３３のいずれか一項に記載の方法。
（項目３６）
上記ダウンリンク情報はダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルに対応するハイブリッド自動再送要求−肯定応答情報を伝送するためのサブフレームである、項目２１から３３のいずれか一項に記載の方法。
（項目３７）
上記ダウンリンク情報は、無線フレーム１において搬送され、上記第１サブフレームは無線フレーム２に属し、上記無線フレーム１は、１つの無線フレームだけを含み、上記無線フレーム２は、Ｍ個の連続する無線フレームを含み、Ｍ≧１であり、Ｍは整数である、項目２１から３４のいずれか一項に記載の方法。
（項目３８）
上記無線フレーム２における１番目の無線フレームは、上記無線フレーム１の後の１番目の無線フレームである、項目３７に記載の方法。
（項目３９）
上記ダウンリンク情報は、上記無線フレーム１におけるＲ個のサブフレームにおいて搬送され、上記Ｒ個のサブフレームは、上記無線フレーム１におけるサブフレーム０を含み、Ｒ≧１であり、Ｒは整数である、項目３７に記載の方法。
（項目４０）
上記第１サブフレームは、上記無線フレーム２における各無線フレームにおけるサブフレーム３、サブフレーム４、サブフレーム８またはサブフレーム９のうちの１つまたは複数である、項目３７に記載の方法。
（項目４１）
送受信器、メモリおよびプロセッサを備えるユーザ機器であって、
上記送受信器はダウンリンク情報を受信するように構成され、
上記メモリはコードを記憶するように構成され、上記プロセッサは、上記メモリに記憶された上記コードに従って、
上記ダウンリンク情報に従って第１サブフレームのサブフレーム構造を決定する動作と、
上記第１サブフレームの上記サブフレーム構造に従ってサービングセルのフレーム構造を決定する動作と
を実行し、
上記送受信器はさらに、上記サービングセルの決定された上記フレーム構造に従って、上記サービングセルにおいて情報を送信および受信するように構成されている、
ユーザ機器。
（項目４２）
上記ダウンリンク情報が異なる値に対応するとき、上記第１サブフレームの上記サブフレーム構造は異なる、項目４１に記載のユーザ機器。
（項目４３）
上記ダウンリンク情報が第１の値に対応するとき、上記第１サブフレームはデフォルトのサブフレームであり、上記第１サブフレームの上記サブフレーム構造は、上記デフォルトのサブフレームのサブフレーム構造であり、上記デフォルトのサブフレームは、ダウンリンクサブフレームもしくはアップリンクサブフレームである、または、
上記ダウンリンク情報が第２の値に対応するとき、上記第１サブフレームの上記サブフレーム構造は、３つの部分を含み、第１部分はダウンリンク伝送に使用されるシンボルであり、第２部分はガード期間ＧＰであり、第３部分はアップリンク伝送に使用されるシンボルである、項目４２に記載のユーザ機器。
（項目４４）
上記第３部分に対応するシンボル数は、５または６である、項目４３に記載のユーザ機器。
（項目４５）
上記ダウンリンク情報が第３の値に対応するとき、上記第１サブフレームはデフォルトのサブフレームであり、上記第１サブフレームの上記サブフレーム構造は上記デフォルトのサブフレームのサブフレーム構造であり、上記デフォルトのサブフレームはダウンリンクサブフレームまたはアップリンクサブフレームである、
上記ダウンリンク情報が第４の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第１シンボル数である、
上記ダウンリンク情報が第５の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第２シンボル数である、または、
上記ダウンリンク情報が第６の値に対応するとき、上記第１サブフレームの上記サブフレーム構造は３つの部分を含み、第１部分はダウンリンク伝送に使用されるシンボルであり、第２部分はガード期間ＧＰであり、第３部分はアップリンク伝送に使用されるシンボルであり、上記第３部分に対応するシンボル数は第３シンボル数である、
項目４２に記載のユーザ機器。
（項目４６）
上記第１シンボル数は３であり、上記第２シンボル数は６であり、上記第３シンボル数は９である、項目４５に記載のユーザ機器。
（項目４７）
上記ダウンリンク情報が異なる値に対応するとき、上記第１サブフレームの上記サブフレーム構造が異なることは、
上記第１サブフレームの上記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
上記ダウンリンク情報が異なる値に対応するとき、上記第３部分に対応するシンボル数は異なる、
項目４２に記載のユーザ機器。
（項目４８）
上記ダウンリンク情報が第７の値に対応するとき、上記第３部分に対応するシンボル数は第４シンボル数である、
上記ダウンリンク情報が第８の値に対応するとき、上記第３部分に対応するシンボル数は第５シンボル数である、
上記ダウンリンク情報が第９の値に対応するとき、上記第３部分に対応するシンボル数は第６シンボル数である、または、
上記ダウンリンク情報が第１０の値に対応するとき、上記第３部分に対応するシンボル数は第７シンボル数である、
項目４７に記載のユーザ機器。
（項目４９）
上記第４シンボル数は１であり、上記第５シンボル数は２であり、上記第６シンボル数は４であり、上記第７シンボル数は６である、項目４８に記載のユーザ機器。
（項目５０）
上記第４シンボル数、上記第５シンボル数、上記第６シンボル数および上記第７シンボル数は、より高い層のシグナリングを使用することによって構成される、項目４８に記載のユーザ機器。
（項目５１）
上記ダウンリンク情報はダウンリンク制御情報フォーマットで搬送され、上記ダウンリンク情報は２ビットに対応し、上記第１の値は００であり、上記第２の値は０１である、項目４３または４４に記載のユーザ機器。
（項目５２）
上記ダウンリンク情報は、ダウンリンク制御情報フォーマットで搬送され、上記ダウンリンク情報は、２ビットに対応し、上記第３の値は００であり、上記第４の値は０１であり、上記第５の値は１０であり、上記第６の値は１１である、項目４５または４６に記載のユーザ機器。
（項目５３）
上記ダウンリンク情報はダウンリンク制御情報フォーマットで搬送され、上記ダウンリンク情報は、２ビットに対応し、上記第７の値は００であり、上記第８の値は０１であり、上記第９の値は１０であり、上記第１０の値は１１である、項目４７から５０のいずれか一項に記載のユーザ機器。
（項目５４）
上記ダウンリンク情報は、ダウンリンク制御情報フォーマットで搬送され、上記ダウンリンク制御情報フォーマットに対応するビットの数は、ダウンリンク制御情報フォーマット１Ｃに対応するビットの数と同一であり、上記ダウンリンク制御情報フォーマットは、Ｉ個のダウンリンク情報を含み、上記Ｉ個のダウンリンク情報の各々はＮビットに対応し、
【数１】
2019504554.tif 000046
であり、
【数２】
2019504554.tif 000047
は、上記ダウンリンク制御情報フォーマット１Ｃが１つの物理ダウンリンク共有チャネルコードワードをスケジューリングするために使用されるときに上記ダウンリンク制御情報フォーマット１Ｃに対応するビットの数に等しく、上記Ｉ個のダウンリンク情報は、異なるサービングセルに対応し、Ｉ≧１、Ｎ≧１であり、ＩおよびＮは両方とも整数である、
項目４１から５３のいずれか一項に記載のユーザ機器。
（項目５５）
上記ダウンリンク情報は、ダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルを伝送するためのサブフレームである、項目４１から５３のいずれか一項に記載のユーザ機器。
（項目５６）
上記ダウンリンク情報は、ダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルに対応するハイブリッド自動再送要求−肯定応答情報を伝送するためのサブフレームである、項目４１から５３のいずれか一項に記載のユーザ機器。
（項目５７）
上記ダウンリンク情報は、無線フレーム１において搬送され、上記第１サブフレームは無線フレーム２に属し、上記無線フレーム１は、１つの無線フレームだけを含み、上記無線フレーム２は、Ｍ個の連続する無線フレームを含み、Ｍ≧１であり、Ｍは整数である、項目４１から５４のいずれか一項に記載のユーザ機器。
（項目５８）
上記無線フレーム２における１番目の無線フレームは、上記無線フレーム１の後の１番目の無線フレームである、項目５７に記載のユーザ機器。
（項目５９）
上記ダウンリンク情報は、上記無線フレーム１におけるＲ個のサブフレームにおいて搬送され、上記Ｒ個のサブフレームは、上記無線フレーム１におけるサブフレーム０を含み、Ｒ≧１であり、Ｒは整数である、項目５７に記載のユーザ機器。
（項目６０）
上記第１サブフレームは、上記無線フレーム２における各無線フレームにおけるサブフレーム３、サブフレーム４、サブフレーム８またはサブフレーム９のうちの１つまたは複数である、項目５７に記載のユーザ機器。
（項目６１）
メモリ、プロセッサおよび送受信器を備える基地局であって、
上記メモリはコードを記憶するように構成され、上記プロセッサは、上記メモリに記憶された上記コードに従って、第１サブフレームのサブフレーム構造を決定する動作を実行し、
上記送受信器は、ダウンリンク情報をユーザ機器へ送信するように構成され、上記ダウンリンク情報は、上記ダウンリンク情報に従って、上記第１サブフレームの上記サブフレーム構造を決定するように上記ユーザ機器に命令するために使用され、
上記プロセッサはさらに、上記第１サブフレームの上記サブフレーム構造に従って、上記ユーザ機器のサービングセルのフレーム構造を決定するように構成され、
上記送受信器はさらに、上記サービングセルの決定された上記フレーム構造に従って、上記サービングセルにおいて情報を上記ユーザ機器へ送信し、上記サービングセルの決定された上記フレーム構造に従って、上記ユーザ機器によって送信された情報を上記サービングセルにおいて受信するように構成されている、
基地局。
（項目６２）
上記ダウンリンク情報が異なる値に対応するとき、上記第１サブフレームの上記サブフレーム構造は異なる、項目６１に記載の基地局。
（項目６３）
上記ダウンリンク情報が第１の値に対応するとき、上記第１サブフレームはデフォルトのサブフレームであり、上記第１サブフレームの上記サブフレーム構造は、上記デフォルトのサブフレームのサブフレーム構造であり、上記デフォルトのサブフレームはダウンリンクサブフレームもしくはアップリンクサブフレームである、または、
上記ダウンリンク情報が第２の値に対応するとき、上記第１サブフレームの上記サブフレーム構造は、３つの部分を含み、第１部分はダウンリンク伝送に使用されるシンボルであり、第２部分はガード期間ＧＰであり、第３部分はアップリンク伝送に使用されるシンボルである、
項目６２に記載の基地局。
（項目６４）
上記第３部分に対応するシンボル数は５または６である、項目６３に記載の基地局。
（項目６５）
上記ダウンリンク情報が第３の値に対応するとき、上記第１サブフレームはデフォルトのサブフレームであり、上記第１サブフレームの上記サブフレーム構造は上記デフォルトのサブフレームのサブフレーム構造であり、上記デフォルトのサブフレームはダウンリンクサブフレームまたはアップリンクサブフレームである、
上記ダウンリンク情報が第４の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第１シンボル数である、
上記ダウンリンク情報が第５の値に対応するとき、上記第１サブフレームの上記サブフレーム構造は、３つの部分を有し、第１部分はダウンリンク伝送に使用されるシンボルであり、第２部分はガード期間ＧＰであり、第３部分はアップリンク伝送に使用されるシンボルであり、上記第３部分に対応するシンボル数は第２シンボル数である、または、
上記ダウンリンク情報が第６の値に対応するとき、上記第１サブフレームの上記サブフレーム構造は３つの部分を含み、第１部分はダウンリンク伝送に使用されるシンボルであり、第２部分はガード期間ＧＰであり、第３部分はアップリンク伝送に使用されるシンボルであり、上記第３部分に対応するシンボル数は第３シンボル数である、
項目６２に記載の基地局。
（項目６６）
上記第１シンボル数は３であり、上記第２シンボル数は６であり、上記第３シンボル数は９である、項目６５に記載の基地局。
（項目６７）
上記ダウンリンク情報が異なる値に対応するとき、上記第１サブフレームの上記サブフレーム構造が異なることは、
上記第１サブフレームの上記サブフレーム構造が３つの部分を含み、第１部分はダウンリンク伝送に使用されるシンボルであり、第２部分はガード期間ＧＰであり、第３部分はアップリンク伝送に使用されるシンボルであることを含み、
上記ダウンリンク情報が異なる値に対応するとき、上記第３部分に対応するシンボル数は異なる、
項目６２に記載の基地局。
（項目６８）
上記ダウンリンク情報が第７の値に対応するとき、上記第３部分に対応するシンボル数は第４シンボル数である、
上記ダウンリンク情報が第８の値に対応するとき、上記第３部分に対応するシンボル数は第５シンボル数である、
上記ダウンリンク情報が第９の値に対応するとき、上記第３部分に対応するシンボル数は第６シンボル数である、または、
上記ダウンリンク情報が第１０の値に対応するとき、上記第３部分に対応するシンボル数は第７シンボル数である、
項目６７に記載の基地局。
（項目６９）
上記第４シンボル数は１であり、上記第５シンボル数は２であり、上記第６シンボル数は４であり、上記第７シンボル数は６である、項目６８に記載の基地局。
（項目７０）
上記第４シンボル数、上記第５シンボル数、上記第６シンボル数および上記第７シンボル数は、より高い層のシグナリングを使用することによって構成される、項目６８に記載の基地局。
（項目７１）
上記ダウンリンク情報はダウンリンク制御情報フォーマットで搬送され、上記ダウンリンク情報は２ビットに対応し、上記第１の値は００であり、上記第２の値は０１である、項目６３または６４に記載の基地局。
（項目７２）
上記ダウンリンク情報は、ダウンリンク制御情報フォーマットで搬送され、上記ダウンリンク情報は、２ビットに対応し、上記第３の値は００であり、上記第４の値は０１であり、上記第５の値は１０であり、上記第６の値は１１である、項目６５または６６に記載の基地局。
（項目７３）
上記ダウンリンク情報は、ダウンリンク制御情報フォーマットで搬送され、上記ダウンリンク情報は、２ビットに対応し、上記第７の値は００であり、上記第８の値は０１であり、上記第９の値は１０であり、上記第１０の値は１１である、項目６７から７０のいずれか一項に記載の基地局。
（項目７４）
上記ダウンリンク情報は、ダウンリンク制御情報フォーマットで搬送され、上記ダウンリンク制御情報フォーマットに対応するビットの数は、ダウンリンク制御情報フォーマット１Ｃに対応するビットの数と同一であり、上記ダウンリンク制御情報フォーマットは、Ｉ個のダウンリンク情報を含み、上記Ｉ個のダウンリンク情報の各々はＮビットに対応し、
【数１】
2019504554.tif 000048
であり、
【数２】
2019504554.tif 000049
は、上記ダウンリンク制御情報フォーマット１Ｃが１つの物理ダウンリンク共有チャネルコードワードをスケジューリングするために使用されるときに上記ダウンリンク制御情報フォーマット１Ｃに対応するビットの数に等しく、上記Ｉ個のダウンリンク情報は、異なるサービングセルに対応し、Ｉ≧１、Ｎ≧１であり、ＩおよびＮは両方とも整数である、
項目６１から７３のいずれか一項に記載の基地局。
（項目７５）
上記ダウンリンク情報は、ダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルを伝送するためのサブフレームである、項目６１から７３のいずれか一項に記載の基地局。
（項目７６）
上記ダウンリンク情報は、ダウンリンク制御情報フォーマットで搬送され、上記ダウンリンク制御情報フォーマットは、物理ダウンリンク共有チャネルをスケジューリングするために使用され、上記第１サブフレームは、上記物理ダウンリンク共有チャネルに対応するハイブリッド自動再送要求−肯定応答情報を伝送するためのサブフレームである、項目６１から７３のいずれか一項に記載の基地局。
（項目７７）
上記ダウンリンク情報は、無線フレーム１において搬送され、上記第１サブフレームは無線フレーム２に属し、上記無線フレーム１は、１つの無線フレームだけを含み、上記無線フレーム２は、Ｍ個の連続する無線フレームを含み、Ｍ≧１であり、Ｍは整数である、項目６１から７４のいずれか一項に記載の基地局。
（項目７８）
上記無線フレーム２における１番目の無線フレームは、上記無線フレーム１の後の１番目の無線フレームである、項目７７に記載の基地局。
（項目７９）
上記ダウンリンク情報は、上記無線フレーム１におけるＲ個のサブフレームにおいて搬送され、上記Ｒ個のサブフレームは、上記無線フレーム１におけるサブフレーム０を含み、Ｒ≧１であり、Ｒは整数である、項目７７に記載の基地局。
（項目８０）
上記第１サブフレームは、上記無線フレーム２における各無線フレームにおけるサブフレーム３、サブフレーム４、サブフレーム８またはサブフレーム９のうちの１つまたは複数である、項目７７に記載の基地局。
（項目８１）
項目４１から６０のいずれか一項に記載のユーザ機器と、
項目６１から８０のいずれか一項に記載の基地局と
を備える、情報を送信および受信するためのシステム。
【国際調査報告】
2019504554.tif 000050
2019504554.tif 000051
2019504554.tif 000052
2019504554.tif 000053